(57)【要約】【課題】ユーザ認識結果を反映させた表示制御を実現できるデジタルフォトフレーム、情報処理システム、制御方法、プログラム及び情報記憶媒体の提供。【解決手段】デジタルフォトフレームは、表示部と、表示制御部と、ユーザ検知センサにより検知された検知情報を取得する検知情報取得部と、取得された検知情報に基づいて、検知されたユーザの人数の認識、及び検知されたユーザの人物認証の少なくとも一方を行うユーザ認識部を含む。表示制御部は、検知されたユーザの人数及び人物認証結果の少なくとも一方に応じて、表示部に表示される画像の表示態様を変化させる表示制御を行う。【選択図】図９
2010016432.tif 000002
【特許請求の範囲】
【請求項１】
画像が表示される表示部と、
前記表示部の表示制御を行う表示制御部と、
ユーザ検知センサにより検知された検知情報を取得する検知情報取得部と、
取得された前記検知情報に基づいて、検知されたユーザの人数の認識、及び検知されたユーザの人物認証の少なくとも一方を行うユーザ認識部とを含み、
前記表示制御部は、
検知されたユーザの人数及び人物認証結果の少なくとも一方に応じて、前記表示部に表示される画像の表示態様を変化させる表示制御を行うことを特徴とするデジタルフォトフレーム。
【請求項２】
請求項１において、
前記ユーザ認識部は、
検知されたユーザの人数を認識し、
前記表示制御部は、
検知されたユーザの人数が一人であると判断された場合と複数人であると判断された場合とで、前記表示部に表示される画像の表示態様を異ならせる表示制御を行うことを特徴とするデジタルフォトフレーム。
【請求項３】
請求項１又は２において、
前記表示制御部は、
検知されたユーザの人数が一人であると判断された場合には、検知された一人のユーザに対応する個人モード用の表示制御を行うことを特徴とするデジタルフォトフレーム。
【請求項４】
請求項１乃至３のいずれかにおいて、
前記表示制御部は、
検知されたユーザの人数が複数人であると判断された場合には、検知された複数人のユーザに対応する共有モード用の表示制御を行うことを特徴とするデジタルフォトフレーム。
【請求項５】
請求項１乃至４のいずれかにおいて、
ユーザの登録処理を行う登録処理部を含み、
前記ユーザ認識部は、
検知されたユーザが登録ユーザであるか否かの人物認証を行い、
前記表示制御部は、
検知されたユーザが登録ユーザであると判断された場合には、検知されたユーザに対応する個人モード用の表示制御を行うことを特徴とするデジタルフォトフレーム。
【請求項６】
請求項１乃至５のいずれかにおいて、
検知されたユーザの人数及び人物認証結果の少なくとも一方に応じて、前記表示部の表示モードを切り替える表示モード切り替え部を含むことを特徴とするデジタルフォトフレーム。
【請求項７】
請求項６において、
前記表示モード切り替え部は、
検知されたユーザの人数が複数人であると判断された場合に、個人モード用の表示制御を行う個人モードへの切り替えをディスエーブルにすることを特徴とするデジタルフォトフレーム。
【請求項８】
請求項１乃至７のいずれかにおいて、
前記ユーザ認識部は、
検知されたユーザが登録ユーザであるか否かの人物認証を行い、
前記表示制御部は、
検知されたユーザが登録ユーザであると判断された場合と未登録ユーザであると判断された場合とで、前記表示部に表示される画像の表示態様を異ならせる表示制御を行うことを特徴とするデジタルフォトフレーム。
【請求項９】
請求項８において、
前記表示制御部は、
検知されたユーザが登録ユーザであると判断された場合には、検知されたユーザに対応する登録ユーザ用の表示制御を行い、検知されたユーザが未登録ユーザであると判断された場合には、未登録ユーザ用の表示制御を行うことを特徴とするデジタルフォトフレーム。
【請求項１０】
請求項１乃至９のいずれかにおいて、
前記表示制御部は、
検知されたユーザの人数が一人であると判断され、且つ、検知されたユーザが登録ユーザであると判断された場合には、検知された一人のユーザに対応する個人モード用の表示制御を行うことを特徴とするデジタルフォトフレーム。
【請求項１１】
請求項１０において、
前記表示制御部は、
検知されたユーザの人数が一人であると判断され、且つ、検知されたユーザが未登録ユーザであると判断された場合には、来客モード用の表示制御を行うことを特徴とするデジタルフォトフレーム。
【請求項１２】
請求項１０又は１１において、
前記表示制御部は、
検知されたユーザの人数が一人であると判断され、且つ、検知されたユーザの人物認証に失敗した場合には、通常モード用の表示制御を行うことを特徴とするデジタルフォトフレーム。
【請求項１３】
請求項１乃至１２のいずれかにおいて、
前記表示制御部は、
検知されたユーザの人数が複数人であると判断され、且つ、検知された複数人のユーザが登録ユーザであると判断された場合には、検知された複数人のユーザに対応する共有モード用の表示制御を行うことを特徴とするデジタルフォトフレーム。
【請求項１４】
請求項１３において、
前記表示制御部は、
検知されたユーザの人数が複数人であると判断され、且つ、検知された複数人のユーザの少なくとも一人が未登録ユーザであると判断された場合には、来客モード用の表示制御を行うことを特徴とするデジタルフォトフレーム。
【請求項１５】
請求項１３又は１４において、
前記表示制御部は、
検知されたユーザの人数が複数人であると判断され、且つ、検知されたユーザの人物認証に失敗した場合には、通常モード用の表示制御を行うことを特徴とするデジタルフォトフレーム。
【請求項１６】
請求項１乃至１５のいずれかにおいて、
取得された前記検知情報に基づいて、ユーザと前記表示部との位置関係、前記表示部に対するユーザの視認状態、及びユーザが検知範囲内に存在するか否かの少なくとも１つを判断するユーザ状態判断部とを含み、
前記表示制御部は、
ユーザと前記表示部との前記位置関係、ユーザの前記視認状態、及びユーザが前記検知範囲内に存在するか否かの少なくとも１つに応じて、前記表示部に表示される画像の表示態様を変化させる表示制御を行うことを特徴とするデジタルフォトフレーム。
【請求項１７】
請求項１６において、
前記ユーザ状態判断部は、
ユーザが前記検知範囲内に存在するか否かを判断し、
前記表示制御部は、
ユーザが前記検知範囲内に存在すると判断された場合に、前記表示部の表示をオンにする表示制御を行うことを特徴とするデジタルフォトフレーム。
【請求項１８】
請求項１６又は１７において、
前記ユーザ状態判断部は、
ユーザと前記表示部との前記位置関係、及び前記表示部に対するユーザの前記視認状態の少なくとも一方を判断し、
前記表示制御部は、
検知されたユーザの人数が複数人であると判断され、前記位置関係及び前記視認状態の少なくとも一方に基づいて、複数人のユーザのいずれかのユーザを優先すると判断された場合に、優先モード用の表示制御を行うことを特徴とするデジタルフォトフレーム。
【請求項１９】
請求項１において、
ユーザと前記表示部との位置関係、前記表示部に対するユーザの視認状態、及びユーザの操作履歴の少なくとも１つを判断するユーザ状態判断部と、
前記表示部の表示モードの切り替えを行う表示モード切り替え部とを含み、
前記ユーザ状態判断部は、
前記表示モードが、一人のユーザの個人モード用の表示制御を行う個人モードである場合に、前記位置関係、前記視認状態、及び前記操作履歴の少なくとも１つについての情報を、ユーザの個人情報として個人情報記憶部に書き込むことを特徴とするデジタルフォトフレーム。
【請求項２０】
請求項１において、
ユーザと前記表示部との位置関係、前記表示部に対するユーザの視認状態、及びユーザの操作履歴の少なくとも１つを判断するユーザ状態判断部と、
前記表示部の表示モードの切り替えを行う表示モード切り替え部とを含み、
前記ユーザ状態判断部は、
前記表示モードが、複数人のユーザの共有モード用の表示制御を行う共有モードである場合に、前記位置関係、前記視認状態、及び前記操作履歴の少なくとも１つについての情報を、複数人のユーザの共有情報としてユーザ共有情報記憶部に書き込むことを特徴とするデジタルフォトフレーム。
【請求項２１】
請求項１において、
複数人のユーザ間の相互の位置関係を判断するユーザ状態判断部と、
前記表示部の表示モードの切り替えを行う表示モード切り替え部とを含み、
前記表示制御部は、
前記表示モードが、複数人のユーザの共有モード用の表示制御を行う共有モードである場合に、複数人のユーザ間の前記位置関係に基づいて、前記表示部に表示される画像の表示態様を変化させる表示制御を行うデジタルフォトフレーム。
【請求項２２】
請求項２１において、
前記ユーザ状態判断部は、
複数人のユーザのうちの第１のユーザと第２のユーザとの間の距離を判断し、
前記表示制御部は、
第１のユーザと第２のユーザとが接近状態であると判断された場合に、第１のユーザ及び第２のユーザに対応する共有モード用の表示制御を行うことを特徴とするデジタルフォトフレーム。
【請求項２３】
請求項２１において、
前記ユーザ状態判断部は、
複数人のユーザのうちの第１のユーザと第２のユーザとの間の距離を判断し、
前記表示制御部は、
第１のユーザと第２のユーザとが接近状態ではないと判断された場合には、第１のユーザの個人モード用画像と第２のユーザの個人モード用画像を、時分割で前記表示部に表示する制御を行うことを特徴とするデジタルフォトフレーム。
【請求項２４】
請求項２１において、
前記ユーザ状態判断部は、
複数人のユーザのうちの第１のユーザと第２のユーザとの間の距離を判断し、
前記表示制御部は、
第１のユーザと第２のユーザとが接近状態ではないと判断された場合には、第１のユーザの個人モード用画像を第１の分割画面に表示し、第２のユーザの個人モード用画像を第２の分割画面に表示する制御を行うことを特徴とするデジタルフォトフレーム。
【請求項２５】
請求項２１において、
前記ユーザ状態判断部は、
複数人のユーザのうちの第１のユーザと第２のユーザとの間の距離を判断し、
前記表示制御部は、
第１のユーザと第２のユーザとが第１の接近状態であると判断された場合に、第１のユーザ及び第２のユーザに対応する共有モード用の表示制御を行い、第１のユーザと第２のユーザとが前記第１の接近状態よりも近い第２の接近状態であると判断された場合に、第１のユーザ及び第２のユーザに対応する共有接近モード用の表示制御を行うことを特徴とするデジタルフォトフレーム。
【請求項２６】
請求項１において、
前記ユーザ認識部は、
検知されたユーザの年齢認識を行い、
前記表示制御部は、
検知されたユーザの年齢認識結果に基づいて、前記表示部に表示される画像の表示態様を変化させる表示制御を行うことを特徴とするデジタルフォトフレーム。
【請求項２７】
請求項２６において、
前記表示制御部は、
検知されたユーザの年齢認識結果に基づいて、ユーザの年齢層が所定年齢層であると判断された場合には、前記所定年齢層用の表示制御を行うことを特徴とするデジタルフォトフレーム。
【請求項２８】
請求項２６又は２７において、
前記表示制御部は、
検知されたユーザの年齢認識結果に基づいて、ユーザの年齢層が、コンテンツ表示の制限対象となる年齢層であると判断された場合には、コンテンツ表示を制限する年齢フィルタ処理を行うことを特徴とするデジタルフォトフレーム。
【請求項２９】
請求項２６乃至２８のいずれかにおいて、
前記ユーザ認識部は、
検知されたユーザの人数を認識し、
前記表示制御部は、
検知されたユーザの人数が複数人であると判断され、且つ、ユーザの年齢認識結果に基づいて、複数人のユーザの中に優先年齢層に属するユーザが存在すると判断された場合には、優先年齢層用の表示制御を行うことを特徴とするデジタルフォトフレーム。
【請求項３０】
請求項１乃至２９のいずれかにおいて、
前記表示制御部は、
前記表示態様を変化させる前記表示制御として、表示画像を変化させる制御、画面分割数を変化させる制御、表示時間を変化させる制御、表示方法を変化させる制御、文字フォントを変化させる制御、文字サイズを変化させる制御、及び使用言語を変化させる制御の少なくとも１つの制御を行うことを特徴とするデジタルフォトフレーム。
【請求項３１】
デジタルフォトフレームの表示部に表示される画像の表示指示を行う表示指示部と、
ユーザ検知センサにより検知された検知情報を取得する検知情報取得部と、
取得された前記検知情報に基づいて、検知されたユーザの人数の認識、及び検知されたユーザの人物認証の少なくとも一方を行うユーザ認識部とを含み、
前記表示指示部は、
検知されたユーザの人数及び人物認証結果の少なくとも一方に応じて、前記表示部に表示される画像の表示態様を変化させる表示指示を行うことを特徴とする情報処理システム。
【請求項３２】
デジタフフォトフレームの制御方法であって、
ユーザ検知センサにより検知された検知情報を取得し、
取得された前記検知情報に基づいて、検知されたユーザの人数の認識、及び検知されたユーザの人物認証の少なくとも一方を行い、
検知されたユーザの人数及び人物認証結果の少なくとも一方に応じて、前記デジタフフォトフレームの表示部に表示される画像の表示態様を変化させる表示制御を行うことを特徴とする制御方法。
【請求項３３】
画像が表示される表示部の表示制御を行う表示制御部と、
ユーザ検知センサにより検知された検知情報を取得する検知情報取得部と、
取得された前記検知情報に基づいて、検知されたユーザの人数の認識、及び検知されたユーザの人物認証の少なくとも一方を行うユーザ認識部として、
コンピュータを機能させ、
前記表示制御部は、
検知されたユーザの人数及び人物認証結果の少なくとも一方に応じて、前記表示部に表示される画像の表示態様を変化させる表示制御を行うことを特徴とするプログラム。
【請求項３４】
コンピュータ読み取り可能な情報記憶媒体であって、請求項３３に記載のプログラムを記憶したことを特徴とする情報記憶媒体。
【発明の詳細な説明】
【技術分野】
【０００１】
本発明は、デジタルフォトフレーム、情報処理システム、制御方法、プログラム及び情報記憶媒体等に関する。
【背景技術】
【０００２】
近年、デジタルスチルカメラなどのデジタルカメラで撮影した画像を手軽に再生できる装置として、デジタルフォトフレームが脚光を浴びている。このデジタルフォトフレームは、フォトスタンドの写真を入れる部分が液晶ディスプレイに置き換えられた形態の装置であり、メモリカードや通信装置を介して読み込まれたデジタルの画像データ（電子写真）の再生処理を行う。
【０００３】
デジタルフォトフレームの従来技術としては例えば特許文献１に開示される技術がある。この従来技術では、電話回線接続装置を、デジタルフォトフレームであるデジタルフォトスタンドに具備させて、フォトスタンドと有線又は無線の電話回線との間の伝送路の形成を実現している。
【０００４】
しかしながら、これまでのデジタルフォトフレームでは、デジタルカメラ等で撮影された画像を単に再生する機能しか有しておらず、ユーザの認識結果を反映させた表示制御は行われていなかった。このため再生画像が単調であり、ユーザに対して多様な画像を表示することができなかった。
【０００５】
【特許文献１】特開２０００−３２４４７３号公報
【発明の開示】
【発明が解決しようとする課題】
【０００６】
本発明の幾つかの態様によれば、ユーザ認識結果を反映させた表示制御を実現できるデジタルフォトフレーム、情報処理システム、制御方法、プログラム及び情報記憶媒体を提供できる。
【課題を解決するための手段】
【０００７】
本発明は、画像が表示される表示部と、前記表示部の表示制御を行う表示制御部と、ユーザ検知センサにより検知された検知情報を取得する検知情報取得部と、取得された前記検知情報に基づいて、検知されたユーザの人数の認識、及び検知されたユーザの人物認証の少なくとも一方を行うユーザ認識部とを含み、前記表示制御部は、検知されたユーザの人数及び人物認証結果の少なくとも一方に応じて、前記表示部に表示される画像の表示態様を変化させる表示制御を行うデジタルフォトフレームに関係する。また本発明は、上記各部としてコンピュータを機能させるプログラム、又は該プログラムを記憶したコンピュータ読み取り可能な情報記憶媒体に関係する。
【０００８】
本発明によれば、ユーザ検知センサにより検知された検知情報が取得され、検知情報に基づいて、ユーザ認識が行われる。そしてユーザの人数やユーザの人物認証結果などに応じて、表示部に表示される画像の表示態様が変化する。このようにすればユーザの人数、人物認証結果等のユーザ認識結果が反映された画像がデジタルフォトフレームの表示部に表示されるようになり、これまでにないタイプのデジタルフォトフレームを提供できる。
【０００９】
また本発明では、前記ユーザ認識部は、検知されたユーザの人数を認識し、前記表示制御部は、検知されたユーザの人数が一人であると判断された場合と複数人であると判断された場合とで、前記表示部に表示される画像の表示態様を異ならせる表示制御を行ってもよい。
【００１０】
このようにすれば、検知されたユーザの人数に応じて、表示画像の表示態様が変化するようになり、ユーザの人数を反映させた多様な画像表現が可能になる。
【００１１】
また本発明では、前記表示制御部は、検知されたユーザの人数が一人であると判断された場合には、検知された一人のユーザに対応する個人モード用の表示制御を行ってもよい。
【００１２】
このようにすれば、ユーザが一人である場合には、そのユーザに対応した個人モード用の表示制御が行われるため、ユーザは、プライベートな画像を個人的に楽しんだり、プライベートな設定で表示画像を鑑賞することなどが可能になる。
【００１３】
また本発明では、前記表示制御部は、検知されたユーザの人数が複数人であると判断された場合には、検知された複数人のユーザに対応する共有モード用の表示制御を行ってもよい。
【００１４】
このようにすれば、ユーザが複数人である場合には、複数のユーザに対応する共有モード用の表示制御が行われるため、複数のユーザに共通の話題を提供したり、共通の思い出を思い起こさせたり、複数のユーザに共有の設定で表示画像を鑑賞することなどが可能になり、これまでにないタイプのデジタルフォトフレームを提供できる。
【００１５】
また本発明では、ユーザの登録処理を行う登録処理部を含み、前記ユーザ認識部は、検知されたユーザが登録ユーザであるか否かの人物認証を行い、前記表示制御部は、検知されたユーザが登録ユーザであると判断された場合には、検知されたユーザに対応する個人モード用の表示制御を行ってもよい。
【００１６】
このようにすれば、検知されたユーザが登録ユーザである場合には、ユーザの登録処理を反映させた個人モード用の表示制御が可能になり、各登録ユーザに応じた画像や情報の提示等が可能になる。
【００１７】
また本発明では、検知されたユーザの人数及び人物認証結果の少なくとも一方に応じて、前記表示部の表示モードを切り替える表示モード切り替え部を含んでもよい。
【００１８】
このようにすれば、表示モードを切り替えるという簡素な処理で、ユーザの人数や人物認証結果に応じて表示画像の表示態様を変化させることが可能になる。
【００１９】
また本発明では、前記表示モード切り替え部は、検知されたユーザの人数が複数人であると判断された場合に、個人モード用の表示制御を行う個人モードへの切り替えをディスエーブルにしてもよい。
【００２０】
このようにすれば、ユーザの個人的な画像が他のユーザに見られてしまう事態等を防止でき、ユーザの個人情報を保護することが可能になる。
【００２１】
また本発明では、前記ユーザ認識部は、検知されたユーザが登録ユーザであるか否かの人物認証を行い、前記表示制御部は、検知されたユーザが登録ユーザであると判断された場合と未登録ユーザであると判断された場合とで、前記表示部に表示される画像の表示態様を異ならせる表示制御を行ってもよい。
【００２２】
このようにすれば、登録ユーザか否かに応じて表示画像の表示態様を異ならせることができ、よりパーソンライズされたデジタルフォトフレームの提供が可能になる。
【００２３】
また本発明では、前記表示制御部は、検知されたユーザが登録ユーザであると判断された場合には、検知されたユーザに関連づけられた登録ユーザ用の表示制御を行い、検知されたユーザが未登録ユーザであると判断された場合には、未登録ユーザ用の表示制御を行ってもよい。
【００２４】
このようにすれば、例えばユーザ登録に応じた表示制御で画像を登録ユーザに表示できると共に、未登録ユーザに対しても一般的な画像等を表示する制御を行うことで、これに対応できるようになる。
【００２５】
また本発明では、前記表示制御部は、検知されたユーザの人数が一人であると判断され、且つ、検知されたユーザが登録ユーザであると判断された場合には、検知された一人のユーザに対応する個人モード用の表示制御を行ってもよい。
【００２６】
このようにすれば、一人の登録ユーザが検知された場合には、その登録ユーザに対応する個人モード用の表示制御で画像を表示できるようになる。
【００２７】
また本発明では、前記表示制御部は、検知されたユーザの人数が一人であると判断され、且つ、検知されたユーザが未登録ユーザであると判断された場合には、来客モード用の表示制御を行ってもよい。
【００２８】
このようにすれば、検知された一人のユーザが未登録ユーザである場合には、来客用に用意された表示制御で画像を表示できるようになる。
【００２９】
また本発明では、前記表示制御部は、検知されたユーザの人数が一人であると判断され、且つ、検知されたユーザの人物認証に失敗した場合には、通常モード用の表示制御を行ってもよい。
【００３０】
このようにすれば、人物認証に失敗した場合にも、通常モード用の表示制御で画像が表示部に表示されるようになり、表示部に何も表示されない状態になるのを防止できる。
【００３１】
また本発明では、前記表示制御部は、検知されたユーザの人数が複数人であると判断され、且つ、検知された複数人のユーザが登録ユーザであると判断された場合には、検知された複数人のユーザに対応する共有モード用の表示制御を行ってもよい。
【００３２】
このようにすれば、複数人の登録ユーザが検知された場合には、これらの複数人の登録ユーザに対応する共有モード用の表示制御で画像を表示できるようになる。
【００３３】
また本発明では、前記表示制御部は、検知されたユーザの人数が複数人であると判断され、且つ、検知された複数人のユーザの少なくとも一人が未登録ユーザであると判断された場合には、来客モード用の表示制御を行ってもよい。
【００３４】
このようにすれば、複数人のユーザの少なくとも一人が未登録ユーザである場合には、来客用に用意された表示制御で画像を表示できるようになる。
【００３５】
また本発明では、前記表示制御部は、検知されたユーザの人数が複数人であると判断され、且つ、検知されたユーザの人物認証に失敗した場合には、通常モード用の表示制御を行ってもよい。
【００３６】
このようにすれば、人物認証に失敗した場合にも、通常モード用の表示制御で画像が表示部に表示されるようになり、表示部に何も表示されない状態になるのを防止できる。
【００３７】
また本発明では、取得された前記検知情報に基づいて、ユーザと前記表示部との位置関係、前記表示部に対するユーザの視認状態、及びユーザが検知範囲内に存在するか否かの少なくとも１つを判断するユーザ状態判断部とを含み、前記表示制御部は、ユーザと前記表示部との前記位置関係、ユーザの前記視認状態、及びユーザが前記検知範囲内に存在するか否かの少なくとも１つに応じて、前記表示部に表示される画像の表示態様を変化させる表示制御を行ってもよい。
【００３８】
このようにすればユーザの位置関係等のユーザ状態が反映された画像がデジタルフォトフレームの表示部に表示されるようになり、これまでにないタイプのデジタルフォトフレームを提供できる。
【００３９】
また本発明では、前記ユーザ状態判断部は、ユーザが前記検知範囲内に存在するか否かを判断し、前記表示制御部は、ユーザが前記検知範囲内に存在すると判断された場合に、前記表示部の表示をオンにする表示制御を行ってもよい。
【００４０】
このようにすれば、ユーザが検知範囲内に存在する場合に初めて表示部がオンになるため、省電力等を実現できる。
【００４１】
また本発明では、前記ユーザ状態判断部は、ユーザと前記表示部との前記位置関係、及び前記表示部に対するユーザの前記視認状態の少なくとも一方を判断し、前記表示制御部は、検知されたユーザの人数が複数人であると判断され、前記位置関係及び前記視認状態の少なくとも一方に基づいて、複数人のユーザのいずれかのユーザを優先すると判断された場合に、優先モード用の表示制御を行ってもよい。
【００４２】
このようにすれば、複数人のユーザが検知された場合に、それらの複数人のユーザのいずれかのユーザを優先するモードに設定されて、そのユーザに対して優先モード用の表示制御で画像を表示できるようになる。
【００４３】
また本発明では、ユーザと前記表示部との位置関係、前記表示部に対するユーザの視認状態、及びユーザの操作履歴の少なくとも１つを判断するユーザ状態判断部と、前記表示部の表示モードの切り替えを行う表示モード切り替え部とを含み、前記ユーザ状態判断部は、前記表示モードが、一人のユーザの個人モード用の表示制御を行う個人モードである場合に、前記位置関係、前記視認状態、及び前記操作履歴の少なくとも１つについての情報を、ユーザの個人情報として個人情報記憶部に書き込むようにしてもよい。
【００４４】
このようにすれば、個人モード時におけるユーザの位置関係、視認状態、或いは操作履歴の情報等が、ユーザの個人情報として個人情報記憶部に記憶されるようになるため、この個人情報を、その後に、ユーザに関連する各種処理に利用できるようになる。
【００４５】
また本発明では、ユーザと前記表示部との位置関係、前記表示部に対するユーザの視認状態、及びユーザの操作履歴の少なくとも１つを判断するユーザ状態判断部と、前記表示部の表示モードの切り替えを行う表示モード切り替え部とを含み、前記ユーザ状態判断部は、前記表示モードが、複数人のユーザの共有モード用の表示制御を行う共有モードである場合に、前記位置関係、前記視認状態、及び前記操作履歴の少なくとも１つについての情報を、複数人のユーザの共有情報としてユーザ共有情報記憶部に書き込むようにしてもよい。
【００４６】
このようにすれば、共有モード時におけるユーザの位置関係、視認状態、或いは操作履歴の情報等が、複数人のユーザの共有情報としてユーザ共有情報記憶部に記憶されるようになるため、この共有ユーザ情報を、複数人のユーザに関連する各種処理に利用できるようになる。
【００４７】
また本発明では、複数人のユーザ間の相互の位置関係を判断するユーザ状態判断部と、前記表示部の表示モードの切り替えを行う表示モード切り替え部とを含み、前記表示制御部は、前記表示モードが、複数人のユーザの共有モード用の表示制御を行う共有モードである場合に、複数人のユーザ間の前記位置関係に基づいて、前記表示部に表示される画像の表示態様を変化させる表示制御を行ってもよい。
【００４８】
このようにすれば、共有モード時に複数人のユーザ間の位置関係に応じて、表示画像の表示態様を変化させることができるため、更に多様な画像表現を実現できる。
【００４９】
また本発明では、前記ユーザ状態判断部は、複数人のユーザのうちの第１のユーザと第２のユーザとの間の距離を判断し、前記表示制御部は、第１のユーザと第２のユーザとが接近状態であると判断された場合に、第１のユーザ及び第２のユーザに対応する共有モード用の表示制御を行ってもよい。
【００５０】
このようにすれば、第１、第２のユーザの距離が近づいた場合に、第１、第２のユーザに共有の共有モード用の表示制御で画像が表示されるようになるため、第１、第２のユーザのコミュニケーション等の向上を図れる。
【００５１】
また本発明では、前記ユーザ状態判断部は、複数人のユーザのうちの第１のユーザと第２のユーザとの間の距離を判断し、前記表示制御部は、第１のユーザと第２のユーザとが接近状態ではないと判断された場合には、第１のユーザの個人モード用画像と第２のユーザの個人モード用画像を、時分割で前記表示部に表示する制御を行ってもよい。
【００５２】
このようにすれば、共有モードであっても、第１、第２のユーザの距離が離れている場合には、各ユーザの個人モード用画像が時分割に表示されるようになるため、各ユーザに対応した個別的な画像の提示が可能になる。
【００５３】
また本発明では、前記ユーザ状態判断部は、複数人のユーザのうちの第１のユーザと第２のユーザとの間の距離を判断し、前記表示制御部は、第１のユーザと第２のユーザとが接近状態ではないと判断された場合には、第１のユーザの個人モード用画像を第１の分割画面に表示し、第２のユーザの個人モード用画像を第２の分割画面に表示する制御を行ってもよい。
【００５４】
このようにすれば、共有モードであっても、第１、第２のユーザの距離が離れている場合には、各ユーザの個人モード用画像が各分割画面に表示されるようになるため、各ユーザに対応した個別的な画像の提示が可能になる。
【００５５】
また本発明では、前記ユーザ状態判断部は、複数人のユーザのうちの第１のユーザと第２のユーザとの間の距離を判断し、前記表示制御部は、第１のユーザと第２のユーザとが第１の接近状態であると判断された場合に、第１のユーザ及び第２のユーザに対応する共有モード用の表示制御を行い、第１のユーザと第２のユーザとが前記第１の接近状態よりも近い第２の接近状態であると判断された場合に、第１のユーザ及び第２のユーザに対応する共有接近モード用の表示制御を行ってもよい。
【００５６】
このようにすれば、第１のユーザと第２のユーザが第１の接近状態から更に近づいて第２の接近状態になった場合に、共有モードとは異なる共有接近モードの表示制御で画像を表示できるようになるため、更に多様な画像表現が可能になる。
【００５７】
また本発明では、前記ユーザ認識部は、検知されたユーザの年齢認識を行い、前記表示制御部は、検知されたユーザの年齢認識結果に基づいて、前記表示部に表示される画像の表示態様を変化させる表示制御を行うようにしてもよい。
【００５８】
このようにすればユーザの年齢の認識結果が反映された画像がデジタルフォトフレームの表示部に表示されるようになり、これまでにないタイプのデジタルフォトフレームを提供できる。
【００５９】
また本発明では、前記表示制御部は、検知されたユーザの年齢認識結果に基づいて、ユーザの年齢層が所定年齢層であると判断された場合には、前記所定年齢層用表示制御を行うようにしてもよい。
【００６０】
このようにすれば、所定年齢層のユーザの各々に対して、そのユーザに適した所定年齢層用の表示制御で画像を表示できるようになる。
【００６１】
また本発明では、前記表示制御部は、検知されたユーザの年齢認識結果に基づいて、ユーザの年齢層が、コンテンツ表示の制限対象となる年齢層であると判断された場合には、コンテンツ表示を制限する年齢フィルタ処理を行うようにしてもよい。
【００６２】
このようにすれば、制限対象となる年齢層に属するユーザに対して、不適切なコンテンツが表示されてしまう事態を防止できる。
【００６３】
また本発明では、前記ユーザ認識部は、検知されたユーザの人数を認識し、前記表示制御部は、検知されたユーザの人数が複数人であると判断され、且つ、ユーザの年齢認識結果に基づいて、複数人のユーザの中に優先年齢層に属するユーザが存在すると判断された場合には、優先年齢層用の表示制御を行うようにしてもよい。
【００６４】
このようにすれば、複数人のユーザが検知され、その複数人のユーザの中に優先年齢層のユーザが存在する場合に、そのユーザに適した優先年齢層用の表示制御で画像を表示できるようになる。
【００６５】
また本発明では、前記表示制御部は、前記表示態様を変化させる前記表示制御として、表示画像を変化させる制御、画面分割数を変化させる制御、表示時間を変化させる制御、表示方法を変化させる制御、文字フォントを変化させる制御、文字サイズを変化させる制御、及び使用言語を変化させる制御の少なくとも１つの制御を行ってもよい。
【００６６】
また本発明は、デジタルフォトフレームの表示部に表示される画像の表示指示を行う表示指示部と、  ユーザ検知センサにより検知された検知情報を取得する検知情報取得部と、取得された前記検知情報に基づいて、検知されたユーザの人数の認識、及び検知されたユーザの人物認証の少なくとも一方を行うユーザ認識部とを含み、前記表示指示部は、検知されたユーザの人数及び人物認証結果の少なくとも一方に応じて、前記表示部に表示される画像の表示態様を変化させる表示指示を行う情報処理システムに関係する。
【００６７】
また本発明は、デジタフフォトフレームの制御方法であって、ユーザ検知センサにより検知された検知情報を取得し、取得された前記検知情報に基づいて、検知されたユーザの人数の認識、及び検知されたユーザの人物認証の少なくとも一方を行い、検知されたユーザの人数及び人物認証結果の少なくとも一方に応じて、前記デジタルフォトフレームの表示部に表示される画像の表示態様を変化させる表示制御を行う制御方法に関係する。
【発明を実施するための最良の形態】
【００６８】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００６９】
１．構成
図１（Ａ）に本実施形態のデジタルフォトフレーム３００（デジタルフォトプレーヤ、画像再生装置）の例を示す。図１（Ａ）は、いわゆるフォトスタンドタイプのデジタルフォトフレームの例である。このデジタルフォトフレーム３００は、家の中などの任意の場所にユーザにより設置される。そして、デジタルの画像データや音データなどのコンテンツ情報の再生処理（画像再生、音再生）を実行する。デジタルフォトフレーム３００は、例えばユーザの明示的な再生指示がなくても、画像等のコンテンツ情報（メディア情報）を自動的に再生することができる。例えば写真のスライドショーを自動的に実行したり、映像の自動再生を行う。
【００７０】
なお図１（Ａ）はフォトスタンドタイプのデジタルフォトフレームの例であるが、例えば図１（Ｂ）に示すように、壁掛けタイプのものであってもよい。この壁掛けタイプのデジタルフォトフレームとしては、例えば電気泳動型ディスプレイ等により実現される電子ペーパなどを用いることができる。また、デジタルフォトフレーム３００に、コンテンツ情報の再生指示ボタンなどを設けたり、リモコンを用いて再生指示ができるようにしてもよい。
【００７１】
デジタルフォトフレーム３００は、例えばＳＤカード等のメモリカードのインターフェースを備えることができる。或いは、無線ＬＡＮ、ブルートゥースなどの無線通信のインターフェースや、ＵＳＢ等の有線の通信インターフェースを備えることができる。例えばユーザが、メモリカードにコンテンツ情報を保存して、デジタルフォトフレーム３００のメモリカードインターフェースに装着すると、デジタルフォトフレーム３００は、メモリカードに保存されたコンテンツ情報の自動再生（スライドショー等）を実行する。或いは、デジタルフォトフレーム３００は、無線通信や有線通信によりに外部からコンテンツ情報を受信すると、このコンテンツ情報の再生処理（自動再生処理）を実行する。例えば、ユーザが所持するデジタルカメラや携帯電話機などの携帯型電子機器がブルートゥース等の無線機能を有する場合には、この無線機能を利用して、携帯型電子機器からデジタルフォトフレーム３００にコンテンツ情報を転送する。すると、デジタルフォトフレーム３００は、転送されたコンテンツ情報の再生処理を実行する。
【００７２】
図２にデジタルフォトフレーム３００の構成例を示す。このデジタルフォトフレーム３００は、処理部３０２、記憶部３２０、通信部３３８、表示部３４０、ユーザ検知センサ３５０、操作部３６０を含む。なおこれらの一部の構成要素（例えば通信部、操作部、ユーザ検知センサ）を省略したり、他の構成要素（例えばスピーカ）を追加するなどの種々の変形実施が可能である。
【００７３】
処理部３０２は、各種の制御処理や演算処理を行う。例えばデジタルフォトフレーム３００の各部の制御を行ったり全体的な制御を行う。この処理部３０２の機能は、各種プロセッサ（ＣＰＵ等）、ＡＳＩＣ（ゲートアレイ等）などのハードウェアや、情報記憶媒体３３０に記憶されたプログラムなどにより実現できる。
【００７４】
記憶部３２０は、処理部３０２、通信部３３８などのワーク領域となるものであり、その機能はＲＡＭなどのメモリやＨＤＤ（ハードディスクドライブ）などにより実現できる。この記憶部３２０は、画像や音などのコンテンツ情報を記憶するコンテンツ情報記憶部３２２、取得された検知情報を記憶する検知情報記憶部３２４、ユーザ登録情報を記憶するユーザ登録情報記憶部３２５、特定されたユーザ状態を記憶するユーザ状態記憶部３２６、ユーザの認識処理の結果（ユーザの人数、人物認証結果等）を記憶する認識結果記憶部３２７、表示モードの切り替えフラグを記憶する切り替えフラグ記憶部３２８、ユーザの注視回数情報を記憶する注視回数情報記憶部３２９、ユーザの個人情報を記憶する個人情報記憶部（感性モデル記憶部）３３２、複数のユーザに共有（共通）の情報を記憶するユーザ共有情報記憶部（共有感性モデル記憶部）３３４を含む。
【００７５】
情報記憶媒体３３０（コンピュータにより読み取り可能な媒体）は、プログラムやデータなどを格納するものであり、その機能は、メモリカードや光ディスクなどにより実現できる。処理部３０２は、情報記憶媒体３３０に格納されるプログラム（データ）に基づいて本実施形態の種々の処理を行う。即ち情報記憶媒体３３０には、本実施形態の各部としてコンピュータ（操作部、処理部、記憶部、出力部を備える装置）を機能させるためのプログラム（各部の処理をコンピュータに実行させるためのプログラム）が記憶される。
【００７６】
通信部３３８（通信インターフェース）は、無線や有線の通信などにより外部デバイス（例えばサーバ、携帯型電子機器）との間で情報のやり取りを行うものであり、その機能は、通信用ＡＳＩＣ又は通信用プロセッサなどのハードウェアや、通信用ファームウェアにより実現できる。
【００７７】
表示部３４０は、コンテンツ情報である画像を表示するためのものであり、例えば液晶ディスプレイや、有機ＥＬなどの発光素子を用いたディスプレイや、電気泳動型ディスプレイなどにより実現できる。
【００７８】
ユーザ検知センサ３５０（人体検知センサ）は、ユーザ（ユーザの人数・人物認証、ユーザ状態等）を検知するためのセンサであり、検知結果に基づいて検知情報を出力する。本実施形態では、このユーザ検知センサ３５０を、ユーザ（人物）の人数の認識やユーザの人物認証（例えば年齢認識）のためのセンサとして用いる。或いは、ユーザと表示部３４０（表示画面、デジタルフォトフレーム）との位置関係や、表示部３４０に対するユーザの視認状態や、ユーザが検知範囲内に存在するか否かなどを判断するためのセンサとして用いる。
【００７９】
ユーザ検知センサ３５０としては、例えば焦電センサなどの人感センサを用いることができる。焦電センサは、人等が発生する赤外線を受光し、赤外線を熱に変換し、その熱を素子の焦電効果で電荷に変えるセンサである。この焦電センサを用いることで、検知範囲（検知エリア）にユーザ（人）が存在するか否かや、検知範囲に存在するユーザの動きや、検知範囲内に存在するユーザの人数などを検知できる。
【００８０】
またユーザ検知センサ３５０としては、例えばＣＣＤやＣＭＯＳセンサなどの撮像センサを用いるとことができる。撮像センサ（イメージセンサ）は、１次元又は２次元の光学情報を、時系列の電気信号に変換する光センサである。この撮像センサを用いることで、検知範囲にユーザが存在するか否かや、検知範囲に存在するユーザの動きや、検知範囲内に存在するユーザの人数などを検知できる。また撮像センサを用いた顔画像認識により、ユーザの人物認証（年齢認識等）を実現できる。また撮像センサを用いた顔検出により、ユーザと表示部３４０との距離や表示部３４０に対するユーザの視線の角度などの位置関係を検出できる。或いは、ユーザの視野範囲内に表示部３４０が入っている状態か否かや、ユーザが表示部３４０を注視している状態か否かなどのユーザの視認状態を検出できる。或いはユーザが接近中なのか否かなども検出できる。
【００８１】
またユーザ検知センサ３５０としては、例えば超音波センサなどの距離センサを用いることができる。超音波距離センサは、超音波パルスを射出し、人等により反射した超音波パルスを受信することで、その時間から距離を測定するセンサである。
【００８２】
なおユーザ検知センサ３５０などのセンサは、センサデバイス自体であってもよいし、センサデバイスの他に制御部や通信部等を含むセンサ機器であってもよい。また検知情報は、センサから直接得られる１次情報であってもよいし、１次情報を加工処理（情報処理）することで得られる２次情報であってもよい。
【００８３】
またユーザ検知センサ３５０は、デジタルフォトフレーム３００に直接に取り付けてもよいし、ホームセンサなどをユーザ検知センサ３５０として利用してもよい。ユーザ検知センサ３５０をデジタルフォトフレーム３００に取り付ける場合には、図１（Ａ）に示すように、ユーザ検知センサ３５０をデジタルフォトフレーム３００の例えば枠の部分に取り付けることができる。或いは有線のケーブル等を用いてユーザ検知センサ３５０とデジタルフォトフレーム３００を接続する形態にしてもよい。
【００８４】
操作部３６０は、ユーザが各種情報を入力するためのものであり、例えば操作ボタンやリモコン装置などにより実現できる。ユーザは、この操作部３６０を用いて、ユーザ登録を行ったり、自身が所望する再生コンテンツ（お気に入り画像）の登録などを行うことができる。例えばユーザは、操作部３６０を用いて、ユーザ登録情報を入力することができる。
【００８５】
処理部３０２は、検知情報取得部３０４、ユーザ状態判断部３０６、登録処理部３１０、ユーザ認識部３１２、表示モード切り替え部３１６、表示制御部３１８を含む。なお、これらの一部の構成要素（例えばユーザ状態判断部、ユーザ認識部、表示モード切り替え部）を省略したり、他の構成要素を追加するなどの種々の変形実施が可能である。
【００８６】
検知情報取得部３０４は、ユーザ検知センサ３５０により検知された検知情報を取得する処理を行う。例えばユーザ検知センサ３５０によりユーザの状態等が検知されて、検知情報（撮像情報）が出力されると、検知情報取得部３０４は、その検知情報を取り込む。そして取り込まれた検知情報は記憶部３２０の検知情報記憶部３２４に記憶される。なおユーザ検知センサ３５０として、ホームセンサ等の外部のセンサを用いる場合には、通信部３３８がその検知情報を受信し、検知情報取得部３０４は、受信した検知情報を取得することになる。
【００８７】
ユーザ状態判断部３０６は、検知情報取得部３０４により取得された検知情報に基づいてユーザ状態等を判断する。例えば、取得された検知情報に基づいて、ユーザ（人物）と表示部３４０との位置関係、表示部３４０に対するユーザの視認状態、及びユーザが検知範囲内に存在するか否かの少なくとも１つを判断する。そして、ユーザの位置関係や視認状態や存在の有無を表すユーザ状態の情報は、ユーザ状態記憶部３２６に記憶される。またユーザ状態判断部３０６は、ユーザの操作履歴や、複数のユーザ間の位置関係（距離等）についても検出して判断する。
【００８８】
ここで位置関係は、ユーザと表示部３４０との距離や、表示部３４０に対するユーザの視線方向などであり、ユーザと表示部３４０との位置関係は、位置関係判断部３０７が判断する。例えば、ユーザと表示部３４０との位置関係として、ユーザと表示部３４０との間の距離（距離情報、距離パラメータ）を判断する。
【００８９】
また視認状態は、ユーザの視野範囲の状態や注視状態などであり、具体的には、ユーザの視野範囲（ビューボリューム）に表示部３４０が入っているか否かや、ユーザが表示部３４０を注視しているか否かなどである。このユーザの視認状態は視認状態判断部３０８が判断する。例えばユーザの視認状態として、ユーザが表示部３４０を注視している状態か否かを判断する。また、ユーザが検知範囲内に存在するか否かはユーザ存在判断部３０９が判断する。
【００９０】
また操作履歴は、ユーザが行った各種操作の履歴であり、例えばユーザの画像の閲覧操作、画像のスキップ操作、或いは前の画像に戻る操作等の履歴である。この操作は、例えばプレーヤが操作部３６０を用いて行う。或いは、ユーザの注視等の視認状態を検出することで、ユーザの各種操作を判別してもよい。例えばユーザが表示画像を注視した場合には、ユーザがその画像を閲覧、選択していると判別してもよい。
【００９１】
なおユーザ検知センサ３５０として、ユーザを撮像する撮像センサが設けられたとする。この場合には、ユーザ状態判断部３０６（位置関係判断部）は、撮像センサからの撮像情報に基づいて、ユーザの顔領域（矩形の枠領域）を検出する。そして検出された顔領域のサイズに基づいて、ユーザと表示部３４０との間の距離を判断（推定）する。またユーザ状態判断部３０６は、検出された顔領域を内包し顔領域よりもサイズが大きな計測領域を設定する。即ち顔領域にオーバーラップする計測領域を設定する。そして計測領域内に顔領域が存在する時間を計測し、計測された時間に基づいて、ユーザが表示部３４０を注視しているか否かを判断する。例えば計測領域内への存在時間が所定時間以上であった場合に、ユーザが注視していたと判断する。
【００９２】
或いは、ユーザ状態判断部は３０６は、後述するように、ユーザに対する自動焦点合わせ処理（オートフォーカス機能）により、ユーザと表示部３４０との間の距離を判断してもよい。例えばアクティブ方式を採用した場合には、デジタルフォトフレーム３００等に赤外線や超音波を射出するデバイスを設けると共に、ユーザ検知センサ３５０として赤外線や超音波の受光センサを設ける。そしてユーザからの反射光を受光センサにより検知することで、ユーザとの距離等を検出すればよい。またパッシブ方式を採用した場合には、ユーザ検知センサ３５０として撮像センサを設け、撮像画像に対して、位相差検出方式やコントラスト検出方式による画像処理を行うことで、ユーザとの距離等を検出すればよい。
【００９３】
登録処理部３１０はユーザの登録処理を行う。例えばユーザ登録情報の設定処理を行う。具体的には、ユーザ登録画面等においてユーザが、操作部３６０等を用いてユーザ登録情報を入力した場合に、入力されたユーザ登録情報をユーザに関連づけてユーザ登録情報記憶部３２５に記憶する。ここでユーザ登録情報は、例えばユーザのＩＤ、パスワードや、表示部３４０に表示される画像のカスタマイズ情報などを含むことができる。そして表示部３４０にはユーザ登録情報を反映させた画像が表示されることになる。
【００９４】
ユーザ認識部３１２はユーザの認識処理を行う。例えば検知情報取得部３０４により取得された検知情報に基づいて、検知されたユーザ（人物）の人数の認識、及び検知されたユーザの人物認証の少なくとも一方を行う。
【００９５】
ここで、ユーザの人数は、例えばユーザ検知センサ３５０である焦電センサ（人感センサ）を用いて認識（特定）したり、ユーザ検知センサ３５０である撮像センサを用いて認識できる。このユーザの人数の認識はユーザ人数認識部３１３により行われる。
【００９６】
一方、ユーザの人物認証は、例えば撮像センサを用いた顔認識処理により実現できる。このユーザの人物認証は人物認証部３１４により行われる。なお、目の網膜にある毛細血管の模様である網膜を用いたり、黒目の中の放射状の紋様である虹彩を用いて人物認証を行ってもよい。
【００９７】
なおユーザ認識部３１２は、ユーザの人物認証として年齢認識を行ってもよい。例えば大人用の顔パターンや子供用の顔パターンというように年齢層毎の顔パターンを用意し、これらの顔パターンの照合処理により年齢認識を行う。或いは顔認識処理によりユーザのしわを認識し、認識されたしわの数等に基づいてユーザの年齢を判断する。
【００９８】
そして、ユーザ認識部３１２での認識結果は、認識結果記憶部３２７に記憶される。例えば検知範囲内でのユーザの人数が認識された場合には、ユーザの人数が、認識結果として認識結果記憶部３２７に記憶される。また例えば撮像センサによりユーザの顔認識処理が行われた場合には、画像認識の結果（例えばユーザの顔画像等の特徴点情報）が、認識結果として認識結果記憶部３２７に記憶される。この場合に、認識結果は、例えばユーザ登録情報に関連づけて記憶される。
【００９９】
表示モード切り替え部３１６は、表示モードの切り替え処理を行う。例えば、検知されたユーザの人数及び人物認証結果の少なくとも一方に応じて、表示部３４０の表示モードを切り替える。具体的には、ユーザの人数や人物認証結果に基づいて、表示部３４０の表示モードを、個人モードや共有モードや通常モードに切り替える。ここで、個人モードは、一人のユーザに関連づけられた個人モード用の表示制御を行うモードである。共有モードは、複数人のユーザに関連づけられた共有モード用の表示制御を行うモードであり、例えば複数人のユーザに共有の画像等を表示するモードである。通常モードは、通常モード用で表示制御を行うモードであり、例えば一般的な画像である通常モード用画像等を表示するモードであり、例えば個人モードや共有モードではない場合には通常モードに設定される。
【０１００】
また表示モード切り替え部３１６は、検知されたユーザの人数が複数人である場合には、個人モード用の表示制御を行う個人モードへの切り替えをディスエーブル（禁止）にする。即ち、検知されたユーザの人数が一人である場合には、個人モードへの切り替えをイネーブルにし、複数人である場合にはディスエーブルにする。このようにすることで、ユーザの個人的な画像や表示設定等が他の人に見られてしまう事態を防止できる。
【０１０１】
また表示モード切り替え部３１６は、例えばユーザと表示部３４０との位置関係やユーザの視認状態などのユーザ状態に応じて表示モードを切り替える。具体的には表示モード切り替え部３１６は、ユーザと表示部３４０との間の距離に応じて、表示部の表示モードを切り替える。例えばユーザと表示部３４０との間の距離が近づいた場合（接近したと判断された場合）に、表示モードを、簡略表示モードから詳細表示モードに切り替える。またユーザが表示部３４０を注視しているか否かに応じて、表示部の表示モードを切り替える。
【０１０２】
また表示モード切り替え部３１６は、表示モードが切り替わった後、切り替わった後の表示モードが解除されるのを、所定時間の間、ウェイトする処理を行う。例えば表示モードが簡略表示モードから詳細表示モードに切り替わった後、所定期間の間、詳細表示モードが解除されて他の表示モードに切り替わるのをウェイトする。或いは、表示モードが、通常表示モード等から注視モードに切り替わった後、所定時間の間、注視モードが解除されて他の表示モードに切り替わるのをウェイトする。
【０１０３】
なお表示モードの切り替えは、切り替えフラグ記憶部３２８に記憶される切り替えフラグを用いて行われる。具体的には、ユーザ認識部３１２によりユーザの人数が認識されたり、人物認証が行われると、その認識結果に応じて表示モードの切り替えフラグが設定され、設定された切り替えフラグが切り替えフラグ記憶部３２８に記憶される。またユーザ状態判断部３０６によりユーザ状態が判断されると、そのユーザ状態に応じて表示モードの切り替えフラグが設定され、設定された切り替えフラグが切り替えフラグ記憶部３２８に記憶される。
【０１０４】
またコンテンツ情報記憶部３２２に記憶される画像には、タグが付与されている。具体的には、各画像には、個人モード用タグ、共有モード用タグ、詳細表示モード用タグ、簡略表示モード用タグ、注視モード用タグ、来客モード用タグ等の各種の表示モード用のタグや、コンテンツのジャンルのタグ等が付与されている。このように各画像に付与されているタグを用いることで、表示モードの切り替え時等において、各種の表示モードに対応した表示制御を行い、その表示制御に応じた画像をコンテンツ情報記憶部３２２から読み出して、表示部３４０に表示できるようになる。
【０１０５】
表示制御部３１８は、表示部３４０の表示制御を行う。例えばコンテンツ情報記憶部３２２に記憶されたコンテンツ情報に基づいて、表示部３４０に画像を表示するための制御を行う。具体的には、表示制御部３１８は、ユーザの認識結果やユーザ状態により設定された表示モード切り替えフラグを、切り替えフラグ記憶部３２８から読み出す。そして読み出された切り替えフラグに関連づけられた画像、音等のコンテンツ情報をコンテンツ情報記憶部３２２から読み出す。そして読み出されたコンテンツ情報の画像を表示部３４０に表示するための制御（描画バッファへの書き込み処理等）を行う。
【０１０６】
なお表示制御部３１８により行われる表示態様を変化させる表示制御としては、表示画像（コンテンツ画像）を変化させる制御、画面分割数を変化させる制御、表示時間（スライドの表示時間間隔等）を変化させる制御、表示方法（スライド表示方法等）を変化させる制御、文字フォントを変化させる制御、文字サイズを変化させる制御、或いは使用言語（表示される文字の言語等）を変化させる制御などを想定できる。また表示態様を変化させるとは、画像の内容そのものを変化させることのみならず、画像を表示するタイミングや表示時間や表示方法等を変化させる場合も含む。
【０１０７】
そして本実施形態では表示制御部３１８は、ユーザ認識結果に応じて表示部３４０に表示される画像の表示態様を変化させる表示制御を行う。例えば検知されたユーザの人数及び人物認証結果の少なくとも一方に応じて、表示画像の表示態様を変化させる。
【０１０８】
例えばユーザ認識部３１２が、ユーザの人数を認識（特定）したとする。この場合には、表示制御部３１８は、検知されたユーザの人数が一人であると判断された場合と複数人であると判断された場合とで、表示部３４０に表示される画像の表示態様を異ならせる。具体的には、検知されたユーザの人数が一人であると判断された場合には、検知された一人のユーザに対応する（関連づけられた）個人モード用の表示制御を行う。例えばその一人のユーザに対して登録されたユーザ登録情報などに基づいて、個人モード（プライベートモード）で表示動作を行い、個人モード用画像等を表示する。一方、検知されたユーザの人数が複数人であると判断された場合には、検知された複数人のユーザに対応する（関連づけられた）共有モード用の表示制御を行う。例えばその複数人のユーザに対して登録されたユーザ登録情報（グループ登録情報）等に基づいて、共有モード（グループモード、家族モード）で表示動作を行い、共有モード用画像等を表示する。
【０１０９】
またユーザ認識部３１２が、検知されたユーザが登録ユーザであるか否かの人物認証を行ったとする。即ち登録処理部３１０により登録されたユーザであるか否かの認証を行ったとする。そして、検知されたユーザが登録ユーザであると判断された場合には、表示制御部３１８は、検知されたユーザに対応する個人モード用の表示制御（登録ユーザ用の表示制御）を行う。ここで個人モード用の表示制御は、ユーザの個人画像等を表示する制御や、ユーザの個人情報にしたがって表示する制御である。例えば表示制御部３１８は、ユーザ登録情報記憶部３２５に記憶されたユーザ登録情報にしたがって、そのユーザに対応する個人モードで表示動作を行い、個人モード用画像等を表示する。
【０１１０】
また表示制御部３１８は、検知されたユーザが登録ユーザであると判断された場合と未登録ユーザであると判断された場合とで、表示部３４０に表示される画像の表示態様を異ならせる。例えば、登録ユーザであると判断された場合には、検知されたユーザに対応する登録ユーザ用の表示制御を行う。一方、検知されたユーザが未登録ユーザであると判断された場合には、未登録ユーザ用の表示制御を行う。ここで登録ユーザ用の表示制御は、個人モード用画像や共有モード用画像やユーザの登録画像を表示する制御や、ユーザ登録情報にしたがって表示する制御である。また未登録ユーザ用の表示制御は、このような個人モード用画像や共有モード用画像ではない画像を表示する制御であり、例えば来客モード用の表示制御や、ユーザ登録の有無に依らずに表示される通常モード用の表示制御である。
【０１１１】
表示制御部３１８は、検知されたユーザの人数が一人である場合には、以下のような表示制御を行う。即ち、検知されたユーザが登録ユーザである場合には、その一人のユーザに対応する個人モード用の表示制御を行い、検知されたユーザが未登録ユーザである場合には、来客モード用の表示制御を行い、検知されたユーザの人物認証に失敗した場合には、通常モード用の表示制御を行う。このようにすれば、登録ユーザに対しては、そのユーザのプライベートな画像やパーソナライズされた画像を含む個人モード用画像等を表示できる。また未登録ユーザには、個人や家族等のプライベートな画像を含まない来客モード用画像（来客用に予め用意された画像）等を表示し、人物認証が失敗したユーザに対しても、プライベートな画像を含まない通常モード用画像等を表示できる。
【０１１２】
一方、表示制御部３１８は、検知されたユーザの人数が複数人である場合には、以下のような表示制御を行う。即ち、検知された複数人のユーザが登録ユーザである場合には、その複数人のユーザに対応する共有モード用の表示制御を行い、検知された複数人のユーザの少なくとも一人が未登録ユーザである場合には、来客モード用の表示制御を行い、検知されたユーザの人物認証に失敗した場合には、通常モード用の表示制御を行う。このようにすれば、複数人の登録ユーザに対しては、複数人のユーザ（例えば家族）に共通の共有モード用の表示制御で画像を表示できる。また少なくとも一人が未登録ユーザである場合や人物認証が失敗したユーザには、プライベートな画像を含まない通常モード用の表示制御で画像を表示できる。
【０１１３】
また例えばユーザ状態判断部３０６が、ユーザとの位置関係、ユーザの視認状態、或いはユーザの操作履歴を判断したとする。そして表示モード切り替え部３１６により、表示モードが、一人のユーザの個人モード用の表示制御を行う個人モードに切り替わったとする。この場合には、ユーザ状態判断部３０６は、個人モード時の位置関係、視認状態、及び操作履歴の少なくとも１つについての情報を、ユーザの個人情報として個人情報記憶部３３２に書き込む。そして例えば個人情報記憶部３３２のユーザ感性モデル等を更新する。これにより、ユーザがそれほど意識することなく、ユーザ毎の感性モデルを構築できる。
【０１１４】
一方、表示モードが、複数人のユーザの共有モード用の表示制御を行う共有モードである場合には、ユーザ状態判断部３０６は、共有モード時の位置関係、視認状態、及び操作履歴の少なくとも１つについての情報を、複数人のユーザの共有情報としてユーザ共有情報記憶部３３４に書き込む。そして例えばユーザ共有情報記憶部３３４の共有感性モデル等を更新する。これにより、複数人のユーザに共有の感性モデルを構築できる。
【０１１５】
また例えばユーザ状態判断部３０６が、複数人のユーザ間の相互の位置関係を判断したとする。そして表示モード切り替え部３１６により、表示モードが共有モードに切り替わったとする。この場合には表示制御部３１８は、複数人のユーザ間の位置関係に基づいて、表示部３４０に表示される画像の表示態様を変化させる。具体的には、ユーザ状態判断部３０６が、複数人のユーザのうちの第１、第２のユーザの間の距離（位置関係、接近関係）を判断する。そして表示制御部３１８は、第１、第２のユーザが接近状態であると判断された場合に、第１、第２のユーザに関連づけられた共有モード用の表示制御を行う。一方、第１、第２のユーザが接近状態ではないと判断された場合には、第１のユーザの個人モード用画像と、第２のユーザの個人モード用画像を、時分割で例えば交互に表示部３４０に表示したり、第１のユーザの個人モード用画像を第１の分割画面に表示し、第２のユーザの個人モード用画像を第２の分割画面に表示する制御を行う。
【０１１６】
なお、第１、第２のユーザが第１の接近状態である場合に、第１、第２のユーザに対応する共有モード用の表示制御を行い、第１、第２のユーザとが第１の接近状態よりも近い第２の接近状態（ユーザ間の距離が第１の接近状態よりも近い状態）である場合に、第１、第２のユーザに対応する共有接近モード用の表示制御を行ってもよい。例えば共有モードよりも更に接近した状態のためのモードとして用意された共有接近モードで表示制御を行い、共有モード用画像とは異なる共有接近モード用画像等を表示する。
【０１１７】
またユーザ認識部３１２が、ユーザの年齢認識を行った場合には、表示制御部３１８は、ユーザの年齢認識結果（年齢層の認識結果）に基づき、表示部３４０に表示される画像の表示態様を変化させる。具体的には、検知されたユーザの年齢認識結果に基づいて、ユーザの年齢層が所定年齢層であると判断された場合には、所定年齢層用の表示制御を行う。例えば、ユーザの年齢層が第１の年齢層（例えば子供の年齢層）であると判断された場合には、第１の年齢層用の表示制御（例えば子供用の表示制御）を行い、ユーザの年齢層が第２の年齢層（例えば老人や大人の年齢層）であると判断された場合には、第２の年齢層用の表示制御（例えば老人用や大人用の表示制御）を行う。或いはユーザに表示する選択項目や、スライド表示される画像等を、年齢認識結果（年齢層）に基づいて変化させてもよい。
【０１１８】
また表示制御部３１８は、ユーザの年齢認識結果に基づいて、ユーザの年齢層が、コンテンツ表示の制限対象となる年齢層（例えば子供、未成年）であると判断された場合には、コンテンツ表示を制限する年齢フィルタ処理を行う。例えばそのコンテンツの表示を禁止したり、他のユーザ（親等）の許諾を条件にそのコンテンツの表示を許可する。
【０１１９】
また表示制御部３１８は、ユーザ認識部３１２により、ユーザの人数が複数人であると判断され、且つ、ユーザの年齢認識結果に基づいて、複数人のユーザの中に優先年齢層（例えば子供や老人の年齢層）に属するユーザが存在すると判断された場合には、そのユーザに対応する優先年齢層用の表示制御（例えば子供用や老人用の表示制御）を行う。
【０１２０】
また表示制御部３１８は、ユーザと表示部３４０との位置関係、ユーザの視認状態、及びユーザが検知範囲内に存在するか否かの少なくとも１つに応じて、表示部３４０に表示される画像の表示態様を変化させる表示制御を行う。
【０１２１】
例えばユーザ状態判断部３０６が、ユーザと表示部３４０との位置関係として、ユーザと表示部３４０との間の距離を判断したとする。この場合には、表示制御部３１８は、ユーザと表示部３４０との間の距離に応じて、表示部３４０に表示される画像の表示態様を変化させる。例えば、ユーザと表示部３４０との間の距離が近いほど、表示部３４０に表示される画像の詳細度を高くしたり、表示部３４０に表示される画像の画面分割数を多くしたり、表示部３４０に表示される文字のサイズ（フォントサイズ）を小さくする。
【０１２２】
なお、表示制御部３１８は、距離そのものに基づいて表示部３４０の画像の表示態様を変化させる必要はなく、距離と等価なパラメータ（例えば顔領域のサイズ等）に基づいて表示態様を変化させてもよい。また表示態様を変化させるとは、第１の表示態様の第１の画像を第２の表示態様の第２の画像に変化させることである。例えば第１の画像から、第１の画像の詳細画像である第２の画像に変化させたり、第１の画像の簡略画像である第２の画像に変化させたり、複数画面に分割された第２の画像に変化させる。
【０１２３】
またユーザ状態判断部３０６が、ユーザの視認状態として、ユーザが表示部３４０を注視しているか否かを判断したとする。この場合には表示制御部３１８は、ユーザが表示部３４０を注視しているか否かに応じて、表示部３４０に表示される画像の表示態様を変化させる。具体的には、ユーザが第１の画像を注視していると判断された場合には、第１の画像に対応する注視用画像への切り替え制御を行う。例えばユーザが表示部３４０を注視していないと判断された場合には、第１の画像から第１の画像の関連画像又は詳細画像である注視用画像への切り替え制御を行わない。一方、注視していると判断された場合には、第１の画像から注視用画像への切り替え制御を行う。或いは、ユーザが注視していないと判断された場合には、第１〜第Ｎ（Ｎは２以上の整数）の画像を表示部３４０にスライド表示する（シーケンシャルに表示する）。例えばここでは、第１〜第Ｎの画像とは、それぞれ異なるジャンル又は異なるカテゴリの画像である。一方、第１〜第Ｎの画像のうちの第Ｋ（１≦Ｋ≦Ｎ）の画像が表示されている時にユーザが表示部３４０（第Ｋの画像）を注視していると判断された場合には、第Ｋの画像の関連画像又は詳細画像である注視用画像を表示部３４０に表示する。そして表示制御部３１８は、この注視用画像が表示されている時に、ユーザが表示部３４０に近づいたと判断された場合には、注視用画像の詳細画像を表示する。例えばユーザが表示部３４０に近づいていないと判断された場合には、注視用画像として、第１〜第Ｍ（Ｍは２以上の整数）の注視用画像を表示部３４０にスライド表示する。一方、第１〜第Ｍの注視用画像のうちの第Ｌ（１≦Ｌ≦Ｍ）の注視用画像が表示されている時にユーザが表示部３４０に近づいたと判断された場合には、その時に表示されている第Ｌの注視用画像の詳細画像を表示する。
【０１２４】
なお関連画像は、第１の画像や第Ｋの画像の表示内容に関連する画像として予め対応づけられた画像である。また詳細画像は、第１の画像や第Ｋの画像の表示内容を更に詳細に表す画像として予め対応づけられた画像である。これらの関連画像や詳細画像は、例えばコンテンツ情報記憶部３２２において第１の画像や第Ｋの画像に予め対応づけられる。
【０１２５】
また表示制御部３１８は、ユーザが表示部３４０を注視した注視回数情報（注視回数そのもの、或いは注視回数に応じて変化するパラメータ）に基づいて、表示部３４０に表示される画像の表示態様を変化させてよい。例えばユーザ状態判断部３０６が、ユーザの注視回数をカウントして、注視回数情報として注視回数情報記憶部３２９に記憶する。そして表示制御部３１８は、所定時間内での第１の画像に対するユーザの注視回数が所定回数以上である場合に、第１の画像に対応する注視用画像への切り替え制御を行う。例えばユーザの注視回数が所定回数よりも少ない場合には、第１の画像からの第１の画像の関連画像又は詳細画像である注視用画像への切り替え制御を行わない。一方、注視回数が所定回数以上である場合には、第１の画像注視用画像への切り替え制御を行う。或いは、所定時間内での第１の画像に対する注視回数情報に基づいて、第１の画像又はその関連画像の表示頻度を変化させてもよい。例えば注視回数が所定回数以上である場合に表示頻度を高くする。
【０１２６】
またユーザ状態判断部３０６が、ユーザがユーザ検知センサ３５０の検知範囲内に存在するか否かを判断したとする。例えば、より広範囲な検知が可能な焦電センサを用いてユーザの存在の有無が検知されたとする。すると、表示制御部３１８は、ユーザが検知範囲内に存在すると判断された場合に、表示部３４０の表示をオンにする。例えば液晶ディスプレイのバックライトをオンにして、表示部３４０の画像がユーザに可視可能になるようにする。なお表示制御部３１８は、ユーザが検知範囲内に存在しないと判断された場合には、表示部３４０の表示をオフにする。例えば通常モードから省電力モードに切り替えて、消費電力を節約する。
【０１２７】
なお例えばユーザ状態判断部３０６が、表示部３４０の表示がオンになった後、ユーザの視認状態として、ユーザの視野範囲内に表示部３４０が入っている状態か否かを判断したとする。すると、表示制御部３１８は、ユーザの視野範囲内に表示部３４０を入っていると判断された場合には、第１〜第Ｎの画像を表示部３４０にスライド表示する。ここで第１〜第Ｎの画像は、例えばその表示内容のテーマが互いに異なる画像である。
【０１２８】
またユーザ状態判断部３０６が、ユーザと表示部３４０との位置関係、及び表示部３４０に対するユーザの視認状態の少なくとも一方を判断したとする。そして検知されたユーザの人数が複数人であると判断された場合には、表示制御部３１８は、位置関係及び視認状態の少なくとも一方に基づいて、複数人のユーザのいずれかのユーザを優先するかを判断する。そして優先すると判断されたユーザに対して優先モード用画像を表示する制御を行う。例えばそのユーザに対応する個人モード用画像を表示する。
【０１２９】
具体的には、ユーザが表示部３４０を注視しているか否かを判断する。そして複数人のユーザのうちの第１のユーザが注視していた場合には、その第１のユーザに対応する優先モード用の表示制御（個人モード用の表示制御）を行い、複数人のユーザのうちの第２のユーザが注視していた場合には、その第２のユーザに対応する優先モード用の表示制御（個人モード用の表示制御）を行う。また複数人のユーザの全てのユーザが注視していた場合や全てのユーザが注視していなかった場合には、複数人のユーザに対応する画像（共有モード用画像）を表示する。この優先モードによれば、ユーザの人数のみならず、ユーザの視認状態やユーザと表示部３４０との位置関係も反映させた表示制御が可能になり、よりインテリジェントな表示制御を実現できる。
【０１３０】
２．ユーザの人数に応じた表示態様の変化
本実施形態では、ユーザ認識結果に応じて表示画像の表示態様を変化させている。具体的には例えば検知されたユーザの人数に応じて表示態様を変化させている。
【０１３１】
例えば図３（Ａ）、図３（Ｂ）では、検知されたユーザの人数が一人である場合と複数人である場合とで、デジタルフォトフレーム３００の表示部３４０に表示される画像を異ならせている。具体的には図３（Ａ）では、一人のユーザＵＡのみがデジタルフォトフレーム３００の近く（周囲）にいることが検知されている。この場合には図３（Ａ）に示すように、ユーザＵＡに対応する画像が表示部３４０に表示される。例えばユーザＵＡの趣味である釣りの情報や、ユーザＵＡが興味を持っている株価の情報などが表示される。ユーザＵＡの趣味や興味を持っている情報については、後述するように例えばユーザ登録情報として記憶される。そしてこのユーザ登録情報によりユーザＵＡに関連づけられた個人モード用情報が図３（Ａ）では表示される。なおユーザの人数の検知は、例えば焦電センサや撮像センサ等のユーザ検知センサ３５０により行われる。
【０１３２】
一方、図３（Ｂ）では、二人（複数人）のユーザＵＡ、ＵＢがデジタルフォトフレーム３００の近くにいることが検知されている。この場合には図３（Ｂ）に示すようにユーザＵＡ、ＵＢに共通（共有）の情報を知らせる画像が表示部３４０に表示される。具体的には、ユーザＵＡ、ＵＢに共通の関心ごとである週末のイベント情報が表示される。ユーザＵＡ、ＵＢに共有（共通）の情報については、ユーザ登録情報として記憶される。そしてこのユーザ登録情報によりユーザＵＡ、ＵＢに関連づけられた共有モード用情報が図３（Ｂ）では表示される。例えば、ユーザＵＡ、ＵＢが共に、興味を持っている情報として週末のイベント情報をユーザ登録情報として登録していたとする。この時には、図３（Ｂ）のようにユーザＵＡ、ＵＢの二人が検知された場合に、週末のイベント情報が表示されるようになる。
【０１３３】
例えばユーザＵＡ、ＵＢが家族であったとする。この場合に、一人のユーザＵＡだけが検知された時には、ユーザＵＡが個人的に撮影した画像が、個人モード用画像として表示される。これによりユーザＵＡは、プライベートな画像を個人的に楽しむことができる。一方、家族である二人のユーザＵＡ、ＵＢが検知された場合には、家族写真として撮影した画像が共有モード用画像として表示される。
【０１３４】
このようにすれば、ユーザＵＡ、ＵＢは、例えば家族旅行の時の出来事などを、デジタルフォトフレーム３００に表示された家族写真を介して思い出すことができ、これまでにないタイプのデジタルフォトフレーム３００を提供できる。なお個人的な撮影画像と家族写真画像は、画像にタグ等を関連づけることで判別することができる。
【０１３５】
３．人物認証結果に応じた表示態様の変化
本実施形態では、ユーザの人物認証の結果に応じて表示態様を変化させている。具体的には、ユーザ登録を行い、検知されたユーザが登録ユーザであるか否かの人物認証を行って、表示画像の表示態様を変化させる。
【０１３６】
図４（Ａ）にユーザ登録情報の入力画面の一例を示す。ユーザは、図４（Ａ）のようにデジタルフォトフレーム３００の表示部３４０に表示されたユーザ登録画面を見ながら、操作部等を用いてユーザ登録情報を入力する。これによりユーザ登録処理が実現される。なお、ユーザ登録情報をＰＣ（パーソナルコンピュータ）等を用いて設定し、設定されたユーザ登録情報を、直接に或いはホームサーバ等を介してデジタルフォトフレーム３００に転送するようにしてもよい。
【０１３７】
図４（Ａ）では、ユーザ登録情報として、ユーザのＩＤ、パスワード、ユーザの趣味、お気に入りの情報、画面モードの設定、画面分割数、距離制限感度、注視制御のオン・オフ、表示時間（表示時間間隔、表示速度）、スライド表示方法（広義には表示方法）、文字フォント、文字サイズ、言語等が入力される。例えば図４（Ａ）では、ユーザの趣味が釣りであり、お気に入り情報が株価の情報であり、画面モードがデジタル調であり、画面分割数が４であり、距離制御感度が中ぐらいであり、注視制御がオンであり、表示時間が中ぐらいであり、スライド表示方法がフェードであり、文字フォントがフォントＣであり、文字サイズが中ぐらいであり、言語が日本語であることが入力されている。なお距離制御感度は、後述するようにユーザと表示部３４０との距離に応じて画像の詳細度等の表示態様を変化させる場合に、距離に対する表示態様の変化の度合いを表す感度である。また注視制御は、後述するようにユーザが表示部３４０を注視した時に表示態様を変化させる制御である。また表示時間は、スライド表示等における画像の表示時間間隔であり、スライド表示方法は、スライド表示時におけるフェード、ワイプ、スクロール、ランダムなどの表示方式である。また文字フォントや文字サイズは、表示される文字のフォントの種類やサイズであり、言語は、表示される文字の言語指定である。
【０１３８】
このようなユーザ登録情報を入力した後に、図４（Ｂ）に示すように、ユーザの顔画像の認識結果を登録する。具体的には後述するような顔検出を行い、顔領域ＦＡＲを検出する。次に顔領域ＦＡＲに映ったユーザの画像に対する画像認識処理を行い、ユーザの顔画像の特徴点データを抽出する。そして、抽出された特徴点データを顔画像の認識結果として、例えば図４（Ａ）で説明したユーザ登録情報と関連づけて登録する。このようにして、登録処理部３１０によりユーザの登録処理が実現される。
【０１３９】
次に図５（Ａ）に示すように、ユーザＵＡがデジタルフォトフレーム３００に近づくと、ユーザ検知センサ３５０により検知されたユーザＵＡが登録ユーザであるか否かの人物認証が行われる。そして、検知されたユーザＵＡは、図４（Ａ）、図４（Ｂ）のようなユーザ登録を行っているため、登録ユーザであると判断される。従って図５（Ａ）に示すように、検知されたユーザＵＡに関連づけられた個人モード用画像がデジタルフォトフレーム３００の表示部３４０に表示される。即ち個人モードで表示動作が行われて画像が表示される。
【０１４０】
この時、図４（Ａ）に示すように、ユーザＵＡの趣味は釣りであり、お気に入り情報は株価であり、画面モードはデジタルモードであり、画面分割数は４に設定されている。従って図５（Ａ）のユーザＵＡの個人モード用画像では、ユーザＵＡの趣味である釣りに関する情報や、ユーザＵＡのお気に入り情報である株価情報が表示される。また、画面モードがデジタルモードに設定されているため、カレンダの時計はデジタル表示になり、画面分割数は４であるため、４分割の画面が表示される。
【０１４１】
一方、図５（Ｂ）では、ユーザＵＢがデジタルフォトフレーム３００に近づいており、ユーザ検知センサ３５０により検知されたユーザＵＢが登録ユーザであるか否かの人物認証が行われる。このユーザＵＢは、ユーザ登録画面において、趣味が音楽であり、お気に入り情報が動物情報であり、画面モードがアナログモードに設定され、画面分割数は４に設定されている。従って、図５（Ｂ）のユーザＵＢの個人モード用画像では、ユーザＵＢの趣味である音楽のコンサートに関する情報や、ユーザＵＢのお気に入り情報である動物情報が表示される。また、画面モードがアナログモードに設定されているため、カレンダの時計はアナログ表示になり、画面分割数は４であるため、４分割の画面が表示される。
【０１４２】
このように図５（Ａ）、図５（Ｂ）では、検知されたユーザの人物認証が行われ、人物認証の結果に応じた個人モード用画像が表示される。従って、デジタルフォトフレーム３００が、各登録ユーザ毎に異なる画像表示を行うようになり、これまでにない多様な画像表現が可能なデジタルフォトフレーム３００を提供できる。
【０１４３】
４．表示モードの切り替え
本実施形態では、検知されたユーザの人数や人物認証結果などに応じて、表示部３４０の表示モードを切り替え、切り替えられた表示モードに応じた画像を表示している。
【０１４４】
例えば一人のユーザだけが検知された場合には、表示モードが個人モードに切り替えられ、図５（Ａ）、図５（Ｂ）で説明したように、そのユーザに対して設定された個人モード用の表示制御で画像が表示される。この個人モードでは、パーソナライズされた情報が表示され、プライベート情報なども表示される。また、後述するようなユーザ検知センサ３５０を用いて検知されたユーザ状態に応じた表示制御も、パーソナライズできるようになる。
【０１４５】
具体的には個人モードでは、例えば個人の撮影画像、健康情報（運動量・体重推移）、趣味情報、カスタマイズされたニュース情報、感性モデルに基づき外部データベースからダウンロードされた写真画像等が表示される。また画面レイアウトや画面のスキン表示や表示時間やスライド表示方法や文字フォント・サイズや言語等も、個人に設定された内容で行われる。また注視状態や距離に応じた表示制御も、個人に対して設定された内容で行われる。更に、例えば個人モード時には、未整理の画像・情報が表示され、ユーザは、個人用、共有用（家族用）、公開用（来客モード用）に分類することが可能になる。
【０１４６】
一方、複数人のユーザが検知された場合には、表示モードが共有モードに切り替えられ、その複数人のユーザに対して設定された共有モード用の表示制御で画像が表示される。この共有モード（グループモード）では、その場にいるユーザ（登録ユーザ）に共通の情報が表示される。例えば、家族写真等の共通の写真や、週末のイベント情報などの共通の関心事の情報や、共通の地域情報や、感性モデルにより選択され複数のユーザが共通に関心のある写真画像等が、外部データベースからダウンロードされて表示される。また、共有モードでは、その場にいるユーザのそれぞれの趣味・嗜好・関心情報が、同じ割合の頻度で表示される。
【０１４７】
また未登録ユーザが検知された場合には、例えば表示モードが来客モードに切り替えられ、来客モード用の表示制御で画像が表示される。この来客モードでは、プライベートな情報が無く、風景画像等の一般的な画像・情報が表示される。或いは、来客との記念写真などの、来客用に予め設定された画像が表示される。また来客者が自ら準備した画像を、デジタルフォトフレーム３００に転送して、表示するようにしてもよい。
【０１４８】
なお、通常時には、プライベート情報が無く一般的な画像・情報のみが表示される通常モードに設定され、通常モード用の表示制御で画像が表示される。例えば外部データベース等からダウンロードされた風景画像・動物画像や天気情報・ニュース等が表示され、表示制御についてもデフォルトの設定で行われる。
【０１４９】
また個人モード、共有モード、来客モード、通常モード以外にも、優先モードを設けてもよい。この優先モードでは、複数人のユーザが検知された場合にも、特に注目しているユーザを検出し、表示内容を、その注目しているユーザの趣味・嗜好・関心を優先した内容に設定する。例えば複数人のユーザのうち表示部３４０（表示画面）の最も近くにいるユーザを検出し、そのユーザの優先モードで表示動作を行う。また複数人のユーザのうち表示部３４０を注視しているユーザを検出し、そのユーザの優先モードで表示動作を行う。
【０１５０】
さて、図６（Ａ）では、ユーザ検知センサ３５０の検知範囲である部屋の中には、ユーザＵＡのみが存在し、一人のユーザＵＡのみが検知されている。従って、この場合には、個人モードがイネーブルにされるため、表示モードが個人モードに切り替えられ、図５（Ａ）、図５（Ｂ）に示すような個人モード用の表示制御で画像が表示される。
【０１５１】
一方、図６（Ｂ）では、部屋の中に他のユーザＵＣが入ってきており、検知されたユーザの人数が複数人であると判断されている。このように複数人が検知された場合には、個人モード用で表示制御が行われる個人モードへの切り替えをディスエーブルに設定し、個人モード用画像等が表示されないようにする。
【０１５２】
このようにすれば、ユーザＵＡのプライベートな情報等が表示された個人モード用画像を、部屋に入ってきた他のユーザＵＣに見られてしまう事態を防止できる。従って、ユーザＵＡが一人でいる場合にはプライベートな情報を楽しむことが可能になると共に、他のユーザＵＣが入ってきた場合にはユーザＵＡの個人情報を保護することが可能になる。
【０１５３】
また図７（Ａ）、図７（Ｂ）では、検知されたユーザが登録ユーザであるか否かの人物認証が行われ、登録ユーザであると判断された場合と未登録ユーザであると判断された場合とで、デジタルフォトフレーム３００の表示部３４０に表示される画像が異なるように表示制御が行われる。
【０１５４】
例えば図７（Ａ）では、ユーザＵＡが登録ユーザであると判断されたため、ユーザＵＡに関連づけられた登録ユーザ用の表示制御で画像が表示される。即ち個人モード用画像や共有モード用画像等の登録ユーザ用画像が表示される。一方、図７（Ｂ）では、ユーザＵＣが未登録ユーザであると判断されたため、未登録ユーザ用の表示制御で画像が表示部３４０に表示される。即ち来客モード用画像等が表示される。
【０１５５】
このように登録ユーザであるか否かに応じて表示態様を切り替えれば、ユーザにカスタマイズされた画像などのユーザ登録に応じた画像を登録ユーザに表示できると共に、未登録ユーザに対しても一般的な画像を表示することで、これに対応することができるようになる。
【０１５６】
５．本実施形態の詳細な詳細例
次に本実施形態の詳細な処理例について図８〜図１１のフローチャートを用いて説明する。
【０１５７】
図８はユーザ登録処理のフローチャートである。まず図４（Ａ）に示すようなユーザ登録画面を表示する（ステップＳ３１）。これによりユーザはユーザ登録情報の入力が可能になる。そしてユーザ登録情報の入力が完了したか否かを判断し（ステップＳ３２）、完了した場合には、図４（Ｂ）で説明したように、ユーザ検知センサである撮像センサ（カメラ）を用いてユーザの顔領域の検出を行う（ステップ３３）。そして撮像センサを用いてユーザの顔画像認識を行い（ステップＳ３４）、認識された顔画像をユーザ登録情報に関連づけて記憶する（ステップＳ３５）。
【０１５８】
図９は、ユーザ認識結果に基づく表示制御の詳細な処理例である。まずユーザ検知センサである焦電センサを用いて、検知範囲内にユーザ（人物）が存在するか否かを判断する（ステップＳ４１）。即ち、デジタルフォトフレームの周辺にユーザが存在するか否かを広範囲に大雑把に検知するために、焦電センサを使用する。このようにユーザ検知センサとして、焦電センサと撮像センサを使い分けることで、ユーザ状態の効率的な検出が可能になる。
【０１５９】
そして、ユーザが存在しないと判断された場合には（ステップＳ４２）、表示部の表示をオフにして省電力モードに設定する（ステップＳ４３）。一方、ユーザが存在すると判断された場合には、表示部の表示をオンにして、通常モードで表示動作を行う（ステップＳ４４）。このようにすることで、デジタルフォトフレームの近くにユーザがいないのに、表示部に画像が表示されて電力が無駄に消費されてしまう事態を防止できる。そしてこの通常モードでは、風景・動物画像や天気予報・ニュースの情報の画像などの一般的な画像が表示される。
【０１６０】
次に、ユーザ検知センサである焦電センサ又は撮像センサを用いて、ユーザ（人物）の人数を認識する（ステップＳ４５）。そして、人数が一人である場合には（ステップＳ４６）、図６（Ａ）で説明したように、個人モードの表示動作許可フラグをイネーブルに設定する（ステップＳ４７）
次に、撮像センサを用いた顔画像認識によりユーザの人物認証を行う（ステップＳ４８）。
そして人物認証に成功した場合には（ステップＳ４９）、人物認証されたユーザが登録ユーザであるか否かを判断する（ステップＳ５０）。そして登録ユーザであると判断された場合には、認識されたユーザのユーザ登録情報を用いて個人モードで表示動作を行う（ステップＳ５１）。即ちユーザ登録処理で設定されたユーザ登録情報にしたがって画像を表示する。一方、登録ユーザではないと判断された場合には、来客モードで表示動作を行う（ステップＳ５２）。即ち来客用に用意された一般的な画像を表示する。なお人物認証に失敗した場合には、表示モードを切り替えずに、通常モードで表示動作を行う（ステップＳ５３）。
【０１６１】
ステップＳ４６でユーザの人数が複数人であると判断された場合には、図６（Ｂ）で説明したように個人モードの表示動作許可フラグをディスエーブルに設定する（ステップＳ６１）。
【０１６２】
次に、撮像センサを用いた顔画像認識によりユーザの人物認証を行う（ステップＳ６２）。そして人物認証に成功した場合には（ステップＳ６３）、人物認証された複数人のユーザが登録ユーザであるか否かを判断する（ステップＳ６４）。そして登録ユーザであると判断された場合には、認識された複数人のユーザの共有モードで表示動作を行う（ステップＳ６５）。一方、例えば複数人のユーザの少なくとも一人が登録ユーザではないと判断された場合には、来客モードで表示動作を行う（ステップＳ６６）。なお人物認証に成功しなかった場合には、表示モードを切り替えずに、通常モードで表示する（ステップＳ６７）。
【０１６３】
図１１は、共有モード時の詳細な処理の一例である。図１１では、優先モードへの切り替え処理が行われている。この優先モードでは、複数人のユーザから、表示部を注視しているユーザや表示部に近いユーザを検出し、検出されたユーザの優先モードに設定して表示動作を行う。
【０１６４】
具体的には、共有モード時に、撮像センサを用いた注視検出により、表示部を注視しているユーザを検出する（ステップＳ７１）。そして複数人のユーザのうちの一人のユーザのみが表示部を注視しているか否かを判断する（ステップＳ７２）。そして、一人のユーザのみが注視している場合には、注視しているユーザを優先するモードに設定し、そのユーザ用の画像（個人モード用画像）を表示する（ステップＳ７３）。一方、全てのユーザが注視している場合や全てのユーザが注視していない場合には、複数人のユーザ用の画像（共有モード用画像）を表示する（ステップＳ７４）。
【０１６５】
６．位置関係に応じた表示態様の変化
本実施形態では、ユーザと表示部３４０との位置関係に応じて表示画像の表示態様を変化させることもできる。
【０１６６】
例えば図１２（Ａ）、図１２（Ｂ）では、ユーザと表示部３４０（デジタルフォトフレーム）との間の距離（広義には位置関係）に応じて表示画像の詳細度を変化させている。具体的には図１２（Ａ）では、ユーザと表示部３４０との間の距離が遠くなっており、所定距離以上になっている。この場合には、例えば天気予報の画像として、簡略画像（通常画像）が表示される。即ち、大きなサイズ（フォント）の文字や、大きなサイズのアイコンを用いて、天気予報の画像が表示される。なお、距離の検知はユーザ検知センサ３５０を用いて実現される。
【０１６７】
一方、図１２（Ｂ）では、ユーザと表示部３４０との間の距離が近くなっており、所定距離よりも小さくなっている。即ちユーザが表示部３４０の表示内容に興味を持って近づいている。この場合には、天気予報の画像として、詳細画像が表示される。即ち図１２（Ａ）に比べて図１２（Ｂ）では、小さなサイズの文字等を用いて、詳細な天気予報を知らせる画像が表示される。
【０１６８】
例えば図１２（Ａ）では、遠くにいるユーザに対して見やすい天気予報を知らせるために、天気予報がアイコン化された簡略画像が表示される。即ち図２の切り替えフラグ記憶部３２８の表示モードの切り替えフラグが、簡略表示モードに設定されて、簡略画像が表示される。一方、図１２（Ｂ）では、今日の天気に関心を持って近づいたと思われるユーザに対して、時間毎の詳しい天気予報を知らせる詳細画像が表示される。即ち切り替えフラグ記憶部３２８の表示モードの切り替えフラグが、詳細表示モードに切り替えられて、詳細画像が表示される。
【０１６９】
以上のようにユーザと表示部３４０との距離に応じて表示画像の詳細度を変化させることで、ユーザとの距離に応じた適切な画像表示を実現できる。なお図１２（Ａ）、図１２（Ｂ）では、ユーザとの距離に応じて表示画像の詳細度を２段階で変化させているが、詳細度の変化は３段階以上であってもよい。
【０１７０】
図１３（Ａ）、図１３（Ｂ）では、ユーザと表示部３４０との間の距離（位置関係）に応じて表示画像の画面分割数を変化させている。具体的には図１３（Ａ）では、ユーザと表示部３４０との間の距離が遠くなっており、所定距離以上になっている。この場合には、画面分割数が例えば１である画像（画面分割されていない画像）が表示される。
【０１７１】
一方、図１３（Ｂ）では、ユーザと表示部３４０との間の距離が近くなっており、所定距離よりも小さくなっている。この場合には、画面分割数が例えば４である画像が表示される。即ち図１３（Ａ）に比べて図１３（Ｂ）では、画面分割数が多い画像が表示される。また図１３（Ａ）では、天気情報の画像が表示されているが、図１３（Ｂ）では、第１、第２、第３、第４の分割画面に、各々、天気情報、株価情報、交通情報、カレンダ情報の画像が表示されている。また図１３（Ｂ）では、図１３（Ａ）に比べて、天気情報等について詳細な内容を知らせる画像が表示されると共に、文字のサイズも小さくなっている。
【０１７２】
例えば図１３（Ａ）では、遠くにいるユーザに対して見やすいように、表示部３４０の全画面を用いて天気予報の画像が表示される。即ち切り替えフラグ記憶部３２８の表示モードの切り替えフラグが、１画面モードに設定されて、画面分割数が１である画像が表示される。一方、図１３（Ｂ）では、ユーザが近づいたため、表示部３４０の画面を分割して、天気予報の画像のみならず、株価情報、交通情報、カレンダの画像も表示される。即ち切り替えフラグ記憶部３２８の表示モードの切り替えフラグが、４画面モードに切り替えられて、画面分割数が４である画像が表示される。
【０１７３】
以上のようにユーザと表示部３４０との距離に応じて表示画像の画面分割数を変化させることで、ユーザとの距離に応じた適切な画像表示を実現できる。なお図１３（Ａ）、図１３（Ｂ）では、画面分割数を２段階で切り替えているが、画面分割数の切り替えは３段階以上であってもよい。また画面の分割数も任意である。
【０１７４】
また、ユーザとの距離に応じて表示態様を切り替える場合、この距離は、ユーザと表示部３４０との直線距離であってもよいし、奥行き方向での距離（Ｚ方向の距離）であってもよい。またこの場合の距離は、距離と数学的な等価なパラメータ（例えば後述する顔領域の面積等）も含み、例えば距離の変化に応じて変化するパラメータであればよい。
【０１７５】
またユーザとの位置関係は、距離に限定されず、例えばユーザの視線方向と表示部３４０の表示画面とのなす角度などであってもよい。
【０１７６】
また図１２（Ａ）〜図１３（Ｂ）では、表示態様の変化として、詳細度や画面分割数や文字サイズを変化させる場合について例示したが、本実施形態の表示態様の変化はこれに限定されない。例えばユーザとの位置関係に応じて関連画像を表示したり、表示部３４０の表示をオン・オフすることで、表示態様を変化させてもよい。
【０１７７】
次に図１４（Ａ）、図１４（Ｂ）を用いて、ユーザと表示部３４０の間の距離（位置関係）の検出手法の一例について説明する。図１４（Ａ）、図１４（Ｂ）では、ユーザ検知センサ３５０として、ＣＣＤ、ＣＭＯＳセンサなどの撮像センサ（カメラ）を用いる。そして撮像センサからの撮像情報に基づいて、矩形の枠領域である顔領域ＦＡＲを検出し、検出された顔領域ＦＡＲのサイズを求める。そして求められたサイズに基づいて、ユーザと表示部３４０との間の距離を判断する。
【０１７８】
例えば図１４（Ａ）では、顔領域ＦＡＲのサイズが小さいため（所定サイズ以下であるため）、ユーザとの距離は遠いと判断される。従って、この場合には図１２（Ａ）、図１３（Ａ）に示すような画像を表示部３４０に表示する。一方、図１４（Ｂ）では、顔領域ＦＡＲのサイズが大きいため（所定サイズよりも大きいため）、ユーザとの距離は近いと判断される。従って、この場合には図１２（Ｂ）、図１３（Ｂ）に示すような画像を表示部３４０に表示する。
【０１７９】
ここで顔領域の検出手法としては種々の手法が考えられる。例えば、顔検出を行うためには、撮像センサで撮影された撮像画像において、顔がある場所と他の物体とを区別して、顔領域を切り出す必要がある。顔は、目、鼻、口等から構成され、これらの形状・位置関係は個人差はあるものの、ほぼ共通した特徴を有する。そこで、この共通な特徴を用いて、顔を他の物体から識別して画面の中から切り出す。このための手がかりとしては、肌の色、顔の動き、形、大きさ等がある。肌の色を用いる場合には、ＲＧＢデータを色相・輝度・彩度からなるＨＳＶデータに変換し、人の肌の色相を抽出する手法を採用する。
【０１８０】
或いは、多数の人の顔パターンから生成した平均顔パターンを顔テンプレートとして作成してもよい。そして、この顔テンプレートを撮像画像の画面上で走査して、撮像画像との相関を求め、最も相関値が高い領域を顔領域として検出する。
【０１８１】
なお検出精度を高めるため、複数の顔テンプレートを辞書データとして用意し、これらの複数の顔テンプレートを用いて顔領域を検出してもよい。或いは目、鼻、口の特徴や、これらの位置関係や、顔の中のコントラストなどの情報も考慮して、顔領域を検出してもよい。或いは、ニューラルネットワークモデルを用いた統計的なパターン認識により顔領域を検出することも可能である。
【０１８２】
図１４（Ａ）、図１４（Ｂ）の検出手法によれば、顔領域ＦＡＲのサイズによりユーザと表示部３４０の距離を検出できるのみならず、ユーザが表示部３４０を見ているか否かも同時に検出できるという利点がある。即ち、ユーザの視線が表示部３４０の方に向いていなかった場合には、顔テンプレートとの相関値が低くなるため、顔領域ＦＡＲは非検出になる。従って、顔領域ＦＡＲが検出されたということは、ユーザの視線が表示部３４０の方に向いており、ユーザの視野範囲内に表示部３４０が入っていることと等価になる。そして、この状態で、顔領域ＦＡＲのサイズを検出して、図１２（Ａ）〜図１３（Ｂ）に示すように画像の表示態様を変化させれば、表示部３４０の画像を見ているユーザに対して、距離に応じた適正な画像を表示できるようになる。これにより、これまでにないデジタルフォトフレーム３００を提供できる。
【０１８３】
なおユーザの検知手法は、図１４（Ａ）、図１４（Ｂ）の手法に限定されない。例えば一般的なカメラや携帯電話機のカメラ等に実装されているオートフォーカス機能を有効活用してユーザを検知してもよい。このオートフォーカス機能を用いれば、デジタルフォトフレーム３００の前にユーザ（人物）が存在するか否かや、そのユーザと表示部３４０との距離などの位置関係を判断できる。
【０１８４】
例えば部屋の中に誰も居ない状態では、オートフォーカスの焦点はほとんど固定されるが、デジタルフォトフレーム３００の表示部３４０の前をユーザが横切った場合等には、オートフォーカス機能が働き、これによりユーザが存在するか否かを判断できる。またデジタルフォトフレーム３００の表示部３４０をユーザが見ている場合には、そのユーザに反応してオートフォーカスが作動して、焦点をそのユーザに自動的に合わせるため、ユーザと表示部３４０とのだいたいの距離を検出できる。
【０１８５】
なおオートフォーカスの方式としては、アクティブ方式やパッシブ方式がある。アクティブ方式では、赤外線や超音波などを射出して、ユーザ等の被写体との距離を測定する。即ち反射波が戻ってくるまでの時間等を測定することで、被写体との距離を測定する。このアクティブ方式によれば、暗い場所でも焦点を簡単に合わせることができるという利点がある。
【０１８６】
一方、パッシブ方式では、被写体の輝度情報をＣＣＤセンサ等の撮像センサで受光して、電気処理により被写体との距離（焦点位置）を検出する。即ち撮影された画像を用いて距離を測定する。このパッシブ方式には、輝度信号の横ずれを検出する位相差検出方式や、輝度信号のコントラストを検出するコントラスト検出方式などがある。
【０１８７】
７．視認状態に応じた表示態様の変化
本実施形態では、ユーザの視認状態に応じて表示画像の表示態様を変化させている。具体的には、ユーザが表示部３４０を注視しているか否かや、ユーザの視野範囲内に表示部３４０が入っているか否かなどに応じて表示態様を変化させる。
【０１８８】
例えば図１５（Ａ）、図１５（Ｂ）では、ユーザが表示部３４０を注視しているか否かに応じて、表示画像の表示態様を変化させている。具体的には図１５（Ａ）では、ユーザの視線方向は表示部３４０の方向に向いておらず、表示部３４０を注視していない。この場合には、例えば天気予報の画像として、通常画像（第１の画像）が表示される。なお、ユーザが注視しているか否かはユーザ検知センサ３５０を用いて検出できる。
【０１８９】
一方、図１５（Ｂ）では、ユーザが表示部３４０を注視している。例えば表示部３４０がユーザの視野範囲内に一定時間以上入っている。この場合には、図１５（Ａ）の画像の関連画像（第１の画像の関連画像である注視用画像）が表示される。即ち図１５（Ａ）では天気予報の画像が表示されているが、図１５（Ｂ）では、天気予報に関連する画像として、花粉情報を知らせる画像が表示される。
【０１９０】
例えば図１５（Ａ）の状態から図１５（Ｂ）のようにユーザが表示部３４０を一定時間注視する状態になった場合に、図１５（Ａ）の画像を表示し続けると、表示画像が単調になってしまい、変化に乏しい。
【０１９１】
この点、図１５（Ｂ）では、ユーザが一定時間注視していることを条件に、図１５（Ａ）の関連画像である花粉情報の画像を表示している。このようにすれば、ユーザが注視したことで、画像の表示態様が変化し、変化に富んだ画像をユーザに表示できるようになる。またユーザに対して様々な情報を効率的に提供できる。
【０１９２】
また図１６（Ａ）、図１６（Ｂ）では、ユーザが注視していることを条件に、簡略画像から詳細画像に表示画像を切り替えている。具体的には図１６（Ａ）では、ユーザが表示部３４０を注視していないため、株情報の画像として、簡略画像（第１の画像）を表示している。即ち、平均的な株価や為替の動きを簡略的に表示している。
【０１９３】
一方、図１６（Ｂ）では、ユーザが表示部３４０を一定時間注視していると判断されたため、詳細画像（第１の画像の詳細画像である注視用画像）に切り替えている。具体的には、個別銘柄の株価の変化を知らせる詳細画像が表示される。こうすることで、ユーザは、表示部３４０を注視することで、株価の動きの詳細を知ることが可能になる。なお、複数の銘柄のうちのどの銘柄を表示するのかを（複数の表示項目のうちのどの表示項目を表示するのかを）、操作部３６０等を用いてユーザが予め登録できるようにしてもよい。このようにすれば、株情報の簡略画像が表示されている時にユーザが表示部３４０を注視することで、ユーザがお気に入りとして登録された銘柄の株価の詳細を知らせる画像が表示されるようになり、ユーザの利便性を向上できる。
【０１９４】
なお、ユーザの注視状態（広義には視認状態）に基づく表示態様の変化は、図１５（Ａ）〜図１６（Ｂ）に限定されず、文字のサイズを変化させたり、画面分割数を変化させるなどの種々の変形実施が可能である。
【０１９５】
例えば図１７（Ａ）では、第１、第２、第３、第４の分割画面に、各々、天気情報、株価情報、交通情報、カレンダ情報の画像が表示されている。この状態で、例えば天気情報が表示される第１の分割画面をユーザが注視していることが検出されると、図１７（Ｂ）に示すように、天気情報が選択されてその画像が表示される。このようにすれば、ユーザが分割画面のいずれかを注視することで、その分割画面を選択できるようになる。なお、例えばユーザが図１７（Ｂ）の画像を更に一定時間注視すると、天気情報の詳細を知らせる詳細画像を表示したり、天気の関連情報を知らせる関連画像を表示するようにしてもよい。
【０１９６】
以上の本実施形態の手法によれば、ユーザの注視等の視認状態が検出されると、それに応じて表示画像の表示態様が変化する。従って、ユーザに提供する表示画像のバラエティを増すと共に効率的な情報伝達が可能になり、これまでにないタイプのデジタルフォトフレームの提供が可能になる。
【０１９７】
次に図１８（Ａ）を用いて、ユーザの注視状態の検出手法の一例について説明する。図１８（Ａ）では、ユーザ検知センサ３５０として撮像センサを用いる。そして図１４（Ａ）、図１４（Ｂ）で説明したように、撮像センサからの撮像情報に基づいて、ユーザの顔領域ＦＡＲを検出する。
【０１９８】
次に検出された顔領域ＦＡＲに対応する計測領域ＳＡＲを設定する。この計測領域ＳＡＲは、顔領域ＦＡＲを内包し、顔領域ＦＡＲよりもサイズが大きな領域である。この計測領域ＳＡＲは、例えば顔領域ＦＡＲをオーバーサイジングすることで設定できる。そして、この計測領域ＳＡＲ内に顔領域ＦＡＲが存在する時間を計測し、計測された時間に基づいて、ユーザが表示部３４０を注視しているか否かを判断する。例えば顔領域ＦＡＲが計測領域ＳＡＲ内に一定時間以上位置していた場合には、ユーザが表示部３４０を注視していると判断する。そして図１５（Ａ）〜図１７（Ｂ）に示すように表示画像の表示態様を変化させる。
【０１９９】
図１８（Ａ）の検出手法によれば、図１４（Ａ）、図１４（Ｂ）の手法によるユーザとの距離の検出と、注視状態の検出の両方を、撮像センサを用いて実現できるようになる。これにより、センサの部品点数を減らしたり、効率的な処理が可能になる。
【０２００】
なお注視状態の検出手法は図１８（Ａ）の手法に限定されない。例えば図１８（Ｂ）では、赤外光を照射し、ユーザの赤目を検出することで注視状態を検出している。具体的には赤外線デバイス３５４により照射された赤外線は、ハーフミラー３５３により反射されてユーザの目に到達する。そしてユーザの赤目状態を、撮像センサが設けられたカメラ３５２により撮影して検出することで、ユーザの目の瞳孔の位置を検出して、ユーザの視線方向を検出し、ユーザが注視状態か否かを判断する。また図１８（Ｃ）では、２台のカメラ３５６、３５７（ステレオカメラ）で撮影されたユーザの顔画像の目周辺の画像領域の明暗から、瞳孔の位置を検出する。そして、検出された瞳孔の中心位置と眼球の中心位置から、ユーザの視線方向を検出し、ユーザが注視状態か否かを判断する。このようにユーザの注視状態の検出手法としては種々の手法を採用できる。
【０２０１】
また以上では、ユーザとの距離やユーザの注視状態を検出して表示画像の表示態様を変化させる場合について説明したが、本実施形態はこれに限定されない。例えば検知範囲内でのユーザの接近の度合いを検出して、表示画像の表示態様を変化させてもよい。例えば図１４（Ａ）の顔領域ＦＡＲのサイズの時間に対する変化率を求める。そしてサイズの変化率が一定値以上である場合には、ユーザの接近の度合いが高いと判断して、図１２（Ａ）〜図１３（Ｂ）、図１５（Ａ）〜図１７（Ｂ）と同様の手法で表示画像の表示態様を変化させる。こうすることで、デジタルフォトフレームに興味を持って近づいてきたユーザに対して、様々な画像を表示できるようになる。
【０２０２】
またユーザが検知範囲内に存在したか否かをユーザ検知センサ３５０により検知し、ユーザが存在すると判断された場合に、表示部３４０の表示をオフからオンに切り替えてもよい。例えば省電力モードから通常モードに切り替えて、表示部３４０に画像を表示する。また表示部３４０の表示がオンの状態で、ユーザが検知範囲内から出て、ユーザが存在しないと判断された場合には、表示部３４０の表示をオンからオフに切り替える。このようにすれば、ユーザが近くにいない時にデジタルフォトフレームに画像が表示されて、無駄に電力が消費されてしまう事態を防止できる。
【０２０３】
またユーザが表示部３４０を注視していることを検知した場合に、１回の注視が検知されたことを条件に、表示モードを切り替えてもよいし、複数回の注視が検知されたことを条件に、表示モードを切り替えてもよい。例えばユーザが表示部３４０を注視した回数に基づいて、表示画像の表示態様を変化させる。
【０２０４】
具体的には、所定時間内にユーザが表示部３４０を注視した回数である注視回数をカウントして記録する。そして、所定時間内での注視回数が、しきい値となる所定回数（例えば２〜５回）を超えるまでは、表示モードを切り替えずに、元の画像（第１の画像）を表示したままの状態にする。一方、所定時間内での注視回数が所定回数を超えると、表示モードを例えば注視モード等に切り替える。そして、元の画像の関連画像を表示したり、元の画像の詳細画像を表示する。或いは、注視回数が多かった場合には、その画像の詳細画像や関連画像の表示頻度等を上昇させる。例えば、あるコンテンツの画像の表示中に、ユーザが、３０秒（所定時間）の間に２回（所定回数）以上、注視したことが検出されると、そのコンテンツの詳細コンテンツや関連コンテンツの画像を表示する。或いは、あるコンテンツの画像を、１日（所定時間）に５回（所定回数）以上、ユーザが注視したことが検出されると、そのコンテンツの関連コンテンツの画像の表示頻度を上昇させる。例えば、前の日における第１の画像（例えばプロ野球の試合結果の画像）の注視回数が所定回数以上である場合には、次の日における第１の画像又はその関連画像（例えばプロ野球又は大リーグの試合結果の画像）の表示頻度を高くする。
【０２０５】
また本実施形態のように表示モードの切り替えを行う場合に、ユーザの存在が検知されなくなったり、ユーザの視認状態が検知されなくなったとたんに、表示モードが切り替わって、元の表示モードに戻ってしまうと、ユーザの利便性を損ねるおそれがある。例えばユーザの顔が検知されたり、ユーザの注視が検知されて、表示モードが詳細表示モードや注視モードに切り替わった場合に、ユーザが一瞬だけよそ見をしたとたんに、その詳細表示モードや注視モードが解除されて、元の表示モードに戻ってしまうと、表示のスムーズさが損なわれてしまい、使いにくいデジタルフォトフレームになってしまう。
【０２０６】
このような事態を防止するために、切り替わった後の表示モードを解除する場合には、一定時間（例えば３０秒）は、ウェイトして、その表示モードを維持し続けるようにする。具体的には、簡略表示モードから詳細表示モードに切り替わった場合に、所定時間の間、その詳細表示モードの解除をウェイトし、詳細表示モードの表示を維持し続ける。或いは、表示モードが注視モードに切り替わった場合に、所定時間の間、その注視モードの解除をウェイトする。そして所定時間が経過した後も、ユーザの存在を検知できなかった場合やユーザの注視状態を検知できなかった場合には、詳細表示モードから簡略表示モードに戻したり、注視モードから通常表示モードに戻す。このようにすれば、表示モードが不用意に頻繁に切り替わって、ユーザにとって見づらいが表示画像になってしまう事態を効果的に防止できる。
【０２０７】
８．表示態様の切り替え手法の具体例
次に本実施形態の表示態様の切り替え手法の具体例について、図１９を用いて説明する。
【０２０８】
図１９に示すように、ユーザが表示部３４０を注視していないと判断されて、注視モードがオフに設定された場合には、画像ＩＭ１〜ＩＭ５（広義には第１〜第Ｎの画像）のスライド表示が行われる。即ち、画像ＩＭ１〜ＩＭ５の各画像が所定時間毎にシーケンシャルに表示される。ここで画像ＩＭ１〜ＩＭ５は、そのコンテンツ内容（テーマ）が異なっている。具体的には、画像ＩＭ１、ＩＭ２、ＩＭ３、ＩＭ４、ＩＭ５は、各々、ニュース、天気、株価、風景の写真、動物の写真を表すコンテンツとなっている。
【０２０９】
このように画像ＩＭ１〜ＩＭ５がスライド表示され、例えば画像ＩＭ２（広義には第Ｋの画像）が表示されている時にユーザが表示部３４０を注視したとする。この場合には、注視モードがオフからオンに切り替わって、画像ＩＭ２の関連画像（或いは詳細画像）である注視用画像ＩＭ２１Ａ、ＩＭ２２Ａ、ＩＭ２３Ａが表示部３４０に表示される。例えば天気の画像ＩＭ２が表示されている時にユーザがこの画像を注視すると、降水確率や花粉情報などを知らせる関連画像が表示される。
【０２１０】
そして、例えばこのような注視用画像ＩＭ２１Ａ〜ＩＭ２３Ａ（広義には第１〜第Ｍの注視用画像）が表示（スライド表示）されている時に、ユーザが表示部３４０に近づくと、注視用画像ＩＭ２１Ａ、ＩＭ２２Ａ、ＩＭ２３Ａの詳細画像（広義には第Ｌの注視用画像の詳細画像）であるＩＭ２１Ｂ、ＩＭ２２Ｂ、ＩＭ２３Ｂが表示される。即ち、ユーザと表示部３４０との距離が所定距離よりも近くなると、表示モードが簡略表示モードから詳細表示モードに切り替わって、詳細画像が表示される。例えば画像ＩＭ２１Ｂでは時間毎の天気の詳細が表示され、画像ＩＭ２２Ｂでは時間毎の降水確率の詳細が表示され、画像ＩＭ２３Ｂでは花粉情報の詳細が表示される。ユーザが、画像ＩＭ１、ＩＭ３、ＩＭ４、ＩＭ５が表示されている時にこれらの各画像を注視した場合にも、上記と同様に表示モードが切り替わり、表示画像の表示態様が変化する。
【０２１１】
図１９の表示態様の切り替え手法によれば、画像ＩＭ１〜ＩＭ５がスライド表示されている時に、ユーザが興味を持つ画像を注視すると、その画像の関連画像や詳細画像が表示される。従って、ユーザの興味に応じた画像を効率的に表示できると共に、ユーザの注視やユーザの接近に応じて画像の表示態様を多様に変化させることが可能になり、これまでにないタイプのデジタルフォトフレームを提供できる。
【０２１２】
なお図２０に図１９の手法の実現に使用される画像のデータ構造例を示す。例えば図２０では、注視モードオフのフラグに対して画像ＩＭ１〜ＩＭ５が対応づけられている。これにより、ユーザが注視していない時に画像ＩＭ１〜ＩＭ５が表示されるようになる。また注視モードオフ及び簡略表示モードオンのフラグに対して、画像ＩＭ１１Ａ〜ＩＭ５３Ａが対応づけられ、注視モードオフ及び詳細表示モードオンのフラグに対して、画像ＩＭ１１Ｂ〜ＩＭ５３Ｂが対応づけられている。更に画像ＩＭ１には画像ＩＭ１１Ａ〜ＩＭ１３Ｂ、ＩＭ２にはＩＭ２１Ａ〜ＩＭ２３Ｂ、ＩＭ３にはＩＭ３１Ａ〜ＩＭ３３Ｂ、ＩＭ４にはＩＭ４１Ａ〜ＩＭ４３Ｂ、ＩＭ５にはＩＭ５１Ａ〜ＩＭ５３Ｂが対応づけられている。このようなデータ構造にすることで、図１９に示すように、画像ＩＭ２が注視された時には、画像ＩＭ２１Ａ〜ＩＭ２３Ａを表示し、この状態でユーザが表示部３４０に近づいた時には画像ＩＭ２１Ｂ〜ＩＭ２３Ｂを表示できるようになる。
【０２１３】
９．ユーザ状態に基づく表示制御の詳細例
次にユーザ状態に基づく表示制御の詳細な処理例について図２１のフローチャートを用いて説明する。
【０２１４】
まずユーザ検知センサである焦電センサを用いて、検知範囲内にユーザ（人物）が存在するか否かを判断する（ステップＳ１）。そして、ユーザが存在しないと判断された場合には（ステップＳ２）、表示部の表示をオフにして省電力モードに設定する（ステップＳ３）。一方、ユーザが存在すると判断された場合には、表示部の表示をオンにして、壁紙・時計・カレンダ等の背景画像を表示する（ステップＳ４）。このようにすることで、デジタルフォトフレームの近くにユーザがいないのに、表示部に画像が表示されて電力が無駄に消費されてしまう事態を防止できる。
【０２１５】
次に、ユーザ検知センサである撮像センサ（カメラ）を用いた顔検出により、ユーザの視野範囲内に表示部が入っているか否かを判断する（ステップＳ５）。そして視野範囲内に入っていると判断された場合には（ステップＳ６）、ユーザと表示部（表示画面）との距離を、顔領域（枠領域）のサイズから判断する（ステップＳ７）。例えば図１４（Ａ）、図１４（Ｂ）に示すように顔領域が検出された場合には、ユーザの視野範囲内に表示部が入っていると判断される。そして顔領域のサイズを検出して、ユーザと表示部との距離を判断（推定）する。
【０２１６】
ユーザと表示部との距離が所定距離以内であると判断された場合には（ステップＳ８）、詳細表示モードをオンにする（ステップＳ９）。一方、所定距離以内ではないと判断された場合には、簡略表示モードをオンにする（ステップＳ１０）。これにより、図１２（Ａ）、図１２（Ｂ）で説明したように、距離に応じた簡略画像と詳細画像の切り替えが可能になる。
【０２１７】
次に撮像センサを用いた注視検出により、ユーザが表示部を注視しているか否かを判断する（ステップＳ１１）。そして注視していると判断された場合には（ステップＳ１２）、注視モードをオンにする（ステップＳ１３）。一方、注視していないと判断された場合には、注視モードをオフにする（ステップＳ１４）。これにより、図１５（Ａ）、図１５（Ｂ）で説明したように、ユーザが注視したか否かに応じた表示態様の切り替えを実現できる。
【０２１８】
次に、図１２を用いて、図１８（Ａ）で説明した注視状態の検出処理の詳細について説明する。
【０２１９】
まず、撮像センサ（カメラ）を用いた顔検出により、顔領域（枠領域）を検出する（ステップＳ２１）。即ち図１４（Ａ）、図１４（Ｂ）で説明した手法により顔領域を検出する。次に、検出された顔領域を内包し、顔領域よりもサイズが大きな計測領域を設定する（ステップＳ２２）。即ち図１８（Ａ）に示すように、顔領域をオーバーサイジングした計測領域を設定する。そして計測領域内に顔領域が存在する時間をタイマを用いて計測する（ステップＳ２３）。即ち計測領域の設定後、タイマの計測を開始し、顔領域が計測領域内に位置する時間を計測する。そして所定時間以上、経過したか否かを判断し（ステップＳ２４）、経過した場合には注視モードをオンにする（ステップＳ２５）。一方、経過しなかった場合には、注視モードをオフのままにする（ステップＳ２６）。このようにすることでユーザの注視状態の検出と、それに応じた注視モードの設定が可能になる。
【０２２０】
１０．感性モデルの構築
さて、ユーザの嗜好や行動の傾向等を反映させた表示制御を行うためには、そのユーザの感性モデルの構築が効果的である。このような感性モデルの構築等のためには、表示モードが個人モードや共有モードである場合に、ユーザの各種状態を記録しておくことが望ましい。
【０２２１】
例えば図２３において、表示モード切り替え部３１６により、表示モードが個人モードに切り替わったとする。この場合には、ユーザ状態判断部３０６は、個人モード時でのユーザの位置関係、視認状態、操作履歴等を、個人情報として個人情報記憶部３３２に記憶する。
【０２２２】
具体的には、個人モード時における、距離等の位置関係や、注視状態等の視認状態を、そのユーザの個人情報として記憶する。例えば個人モード時に表示されている画像（コンテンツ）に関連づけて、ユーザと表示部３４０との位置関係やユーザの視認状態の情報を記憶する。具体的には、その画像のタグ情報として関連づける。
【０２２３】
或いは、個人モード時において、ユーザが、画像の閲覧操作、画像のスキップ操作、前の画像へ戻る操作等の各種操作を行った場合には、その操作履歴を、そのユーザの個人情報として記憶する。例えば、個人モード時に表示されている画像（コンテンツ）に関連づけて、ユーザの操作履歴の情報を記憶する。
【０２２４】
そして、このようにして記憶されたユーザの個人情報に基づいて、そのユーザの感性モデル（個人モデル）を更新する。このようにすれば、ユーザが意識することなく、各ユーザ毎の感性モデルを構築することが可能になる。そして、このようにして更新された感性モデルを用いて、その後の表示制御を行えば、ユーザの感性に適合した表示制御を実現でき、これまでにないタイプのデジタルフォトフレームを提供できる。例えばユーザが、その個人モード時に頻繁に見るコンテンツの画像や、そのコンテンツのジャンルに属する画像を、優先的に表示部３４０に表示したり、ユーザがそのコンテンツを選択し易くなるような表示制御を実現できる。
【０２２５】
或いは、図２３において、表示モード切り替え部３１６により、表示モードが共有モードに切り替わったとする。この場合には、ユーザ状態判断部３０６は、共有モード時でのユーザの位置関係、視認状態、操作履歴等を、ユーザ共有情報としてユーザ共有情報記憶部３３４に記憶する。
【０２２６】
具体的には、共有モード時における距離等の位置関係や注視状態等の視認状態を、複数のユーザの共有情報として記憶する。或いは、共有モード時において、画像閲覧操作等の各種操作が行われた場合には、その操作履歴を、複数のユーザの共有情報として記憶する。
【０２２７】
そして、このようにして記憶されたユーザ共有情報に基づいて、複数のユーザの共有感性モデルを更新する。このようにすれば、複数のユーザの共有モード時に行った操作等が反映された共有感性モデルを構築できる。これにより、共有モード時にだけ特徴的に見られるような使い方が反映されるようになり、これまでにないタイプのデジタルフォトフレームを提供できる。例えば、２人のユーザが一緒に居る時にだけ見るコンテンツの画像や、そのコンテンツのジャンルに属する画像を、優先的に表示部３４０に表示したり、そのコンテンツが選び易くなるような表示制御を実現できる。
【０２２８】
なお、感性モデルとしては確率モデルを用いることができ、このような確率モデルとしては例えば隠れマルコフモデル（Hidden Markov Model）がある。この隠れマルコフモデル（ＨＭＭ）では、システムが、パラメータが未知のマルコフ過程であると仮定して、観測可能な情報からその未知のパラメータを推定する。即ち、ＨＭＭは、あるシステムがマルコフ過程に従って遷移する内部状態を持ち、各状態に応じた記号を確率的に出力すると考えた場合に、記号の出現確率分布からシステム内部の状態遷移を推定する確率モデルである。外部から観測できるのは記号の系列だけであり、内部の状態遷移が直接観測できないところから「隠れ」と呼ばれる。
【０２２９】
１１．共有モード時の位置関係に応じた表示制御
本実施形態では、共有モード時に。複数のユーザの位置関係に応じた表示制御を行うようにしてもよい。
【０２３０】
具体的には、複数人のユーザ間の相互の位置関係を判断し、共有モード時には、複数人のユーザ間の位置関係に基づいて、表示画像の表示態様を変化させる。
【０２３１】
例えば図２４では、第１のユーザＵＡと第２のユーザＵＢの間の距離が近く、接近状態であると判断されている。具体的には、ユーザＵＡ、ＵＢ間の距離が所定距離以内である場合に、接近状態であると判断される。例えば顔検出機能や顔認識機能を利用して、二人のユーザＵＡ、ＵＢの位置関係を判断できる。具体的には、ユーザＵＡ、ＵＢの顔領域の枠の大きさに基づいて、二人の前後の位置関係（前後の距離）を判断でき、２つの枠の間の距離に基づいて、二人の左右の位置関係（左右の距離）を判断できる。これにより二人のユーザＵＡ、ＵＢの距離を判断できる。
【０２３２】
そして図２４のように、共有モード時にユーザＵＡ、ＵＢが接近状態であると判断された場合には、ユーザＵＡ、ＵＢの共有モード用画像を表示する。例えばユーザＵＡ、ＵＢの共通の関心事の情報等を表示する。即ち、二人が一緒に表示画面に注目していると判断し、二人のユーザに共通したコンテンツの画像を表示する。このようにすれば、二人のユーザが接近した場合に、その二人にとって共通の話題となるような情報を提示でき、コミュニケーションの向上等を図れ、特に二人のユーザが男女である場合に効果的となる。
【０２３３】
一方、図２５では、ユーザＵＡとＵＢは、接近状態ではないと判断されている。具体的には、ユーザＵＡ、ＵＢ間の距離が所定距離を超えている場合に、接近状態ではないと判断される。
【０２３４】
そして、このように共有モード時にユーザＵＡ、ＵＢが接近状態ではないと判断された場合に、図２５では、ユーザＵＡの個人モード用画像と、ユーザＵＢの個人モード用画像を時分割で表示している。具体的には、ユーザＵＡ、ＵＢは、別の行動を行っていると判断して、それぞれのユーザを対象としたコンテンツの画像を時分割に交互に表示する共有シーケンシャルモードに、表示モードを設定する。
【０２３５】
また図２６では、このようなユーザの非接近状態時に、ユーザＵＡの個人モード用画像とユーザＵＢの個人モード用画像を、異なる分割画面に表示している。例えばユーザＵＡの興味は釣りであるため、ユーザＵＡの個人モード用画像である釣り情報の画像を、第１の分割画面に表示する。一方、ユーザＵＢの興味は音楽であるため、ユーザＵＢの個人モード用画像である音楽情報の画像を、第２の分割画面に表示する。更にユーザＵＡが興味を持っている株価情報の画像を、第３の分割画面に表示し、ユーザＵＢが興味を持っている動物情報の画像を、第４の分割画面に表示する。
【０２３６】
このようにすれば、二人のユーザが検知された場合にも、二人のユーザが離れて別々の行動を行っている場合には、それぞれのユーザが興味等を持っている画像が表示されるようになるため、ユーザの利便性を向上できる。
【０２３７】
なお共有モードとは別に共有接近モードという表示モードを設けてもよい。例えば図２７（Ａ）では、ユーザＵＡとＵＦの間の距離は所定距離以上となっており、第１の接近状態になっている。この場合には、共有モード用の表示制御で画像を表示する。具体的には、撮像センサ等の視野範囲内に二人のユーザＵＡ、ＵＦが存在するが、二人の距離が所定距離以上離れている場合には、共有モードで動作して、共通の関心情報等の共有モード用画像を表示する。
【０２３８】
一方、図２７（Ｂ）では、ユーザＵＡとＵＦの距離は所定距離よりも小さくなっており、第１の接近状態よりも二人の距離が近づいた第２の接近状態になっている。この場合には、共有接近モード用の表示制御で画像を表示する。具体的には、撮像センサ等の視野範囲内に存在する二人のユーザＵＡ、ＵＦの距離が所定距離よりも小さい場合には、共有接近モードで動作して、その二人の思い出写真等の特定のコンテンツ画像である共有接近モード用画像が表示される。即ち二人の距離が近づいたことから、二人はより親密な関係であると判断し、共有モード用画像よりも更に親密度が高い画像として用意された共有接近モード用画像を表示する。このようにすれば、二人の距離に応じて、共有モード用画像から共有接近モード用画像に変化するようになり、二人の親密度に応じた画像を提供できるようになる。
【０２３９】
１２．年齢認識
本実施形態では、ユーザの年齢認識を行って、その年齢認識結果に基づいて表示画像の表示態様を変化させてもよい。
【０２４０】
例えば図２８（Ａ）では、ユーザ検知センサ３５０を用いた年齢認識処理により、ユーザＵＤの年齢層が子供（広義には第１の年齢層）であると判断されている。この場合には、子供用画像（広義には第１の年齢層用画像）を表示する。具体的には、難しい漢字をひらがなで表示したり、ひらがなのみを用いて情報を提示する。或いは子供用の背景画像を使用したり、子供が好む色やフォントを使用する。
【０２４１】
一方、図２８（Ｂ）では、ユーザ検知センサ３５０を用いた年齢認識処理により、ユーザＵＥの年齢層が老人（広義には第２の年齢層）であると判断されている。この場合には、老人用画像（広義には第２の年齢層用画像）を表示する。具体的には、大きく見やすい文字を使用したり、太字の文字を使用する。或いは、老人用の背景画像を使用したり、老人が好む色やフォントを使用する。
【０２４２】
またユーザ登録の際などに表示される選択項目（選択肢）の画像を、ユーザの年齢の認識結果に基づいて変化させてもよい。
【０２４３】
例えば図２９（Ａ）のユーザ登録画面において、ユーザＵＤは自身の趣味・嗜好のジャンル選択を行って、ユーザ登録を行っている。この場合に、ユーザ検知センサ３５０を用いた年齢認識処理により、ユーザＵＤは子供であると判断されている。従って、ジャンル選択のためのデフォルトの選択項目として、昆虫、動物、アニメ、ゲーム等の子供用に用意された選択項目を表示する。
【０２４４】
一方、図２９（Ｂ）では、ユーザ登録を行っているユーザＵＥは老人であると判断されている。従って、デフォルトの選択項目として、旅行、園芸、グルメ、投資等の老人用に用意された選択項目を表示する。
【０２４５】
また図３０（Ａ）、図３０（Ｂ）は、図１９で説明した注視モードオフ時にスライド表示されるコンテンツの例である。例えば図３０（Ａ）では、年齢認識により子供のユーザが検知されたため、昆虫、動物、アニメ、ゲーム等の子供用のコンテンツをスライド表示する。そして、このスライド表示においてユーザの注視が検出されると、そのタイミングで表示されていたコンテンツ画像の関連画像や詳細画像が表示される。
【０２４６】
一方、図３０（Ｂ）では、年齢認識により老人のユーザが検知されたため、旅行、園芸、グルメ、投資等の老人用のコンテンツをスライド表示する。そして、このスライド表示においてユーザの注視が検出されると、そのタイミングで表示されていたコンテンツ画像の関連画像や詳細画像が表示される。
【０２４７】
またユーザの年齢認識結果を、年齢フィルタ機能（コンテンツフィルタ機能）に利用してもよい。即ち、子供に有害情報が表示されるのは好ましくなく、プッシュで情報提示するデジタルフォトフレームにおいても、年齢によるコンテンツフィルタ機能を設けることが望ましい。そこで、年齢認識結果に基づいて、ユーザの年齢層がコンテンツ制限対象の年齢層である子供と判断された場合には、そのユーザに対するコンテンツ表示を制限する年齢フィルタ処理を行う。即ち、子供にとって有害又は好ましくないコンテンツについては、その表示を禁止したり、親の許諾を条件に表示することで、有害情報をブロックする。
【０２４８】
この場合には図３０（Ｃ）に示すように、各コンテンツに対して年齢フィルタ用のタグを関連づける。そして、認識されたユーザの年齢と、タグの年齢層情報を照合することで、当該タグが関連づけられたコンテンツを表示するか否かを判断する。このようにすれば、簡素な制御で、子供に対する有害情報のブロックが可能になる。
【０２４９】
また図３１のように複数のユーザが検知された場合において、子供優先モードを用意してもよい。例えば図３（Ｂ）で説明したような共有モードにおいて、子供のユーザＵＤがデジタルフォトフレーム３００を見ている場合には、大人のユーザＵＡ、ＵＢよりも子供の方を優先したいというニーズがあると考えられる。そこで、視認範囲に複数のユーザの存在が確認され、共有モードに切り替えら、その時に、子供のユーザＵＤが検知された場合には、子供優先モードに設定する。即ち、年齢認識結果に基づき、複数人のユーザの中に、優先年齢層である子供のユーザＵＤが存在すると判断された場合には、優先年齢層用画像である子供用画像を表示する。
【０２５０】
なお優先年齢層は子供には限定されない。例えば子供よりも大人の方を優先したり、父親又は母親を優先するようにしてもよい。また優先年齢層の設定は、デジタルフォトフレーム３００のモード設定画面において行ってもよい。このようにすれば、各デジタルフォトフレーム毎に、優先する年齢層の設定を異ならせることが可能になる。
【０２５１】
またユーザの年齢認識処理としては種々の処理が考えられる。例えば多数の子供の顔パターンから生成した平均顔パターンを子供用顔テンプレートとして作成し、多数の大人（或いは老人）の顔パターンから生成した平均顔パターンを大人用顔テンプレートとして作成する。そして、子供用テンプレートを撮像画像の画面上で走査して、撮像画像との相関を求め、その相関値に基づいて子供を検知し、大人用テンプレートを撮像画像の画面上で走査して、撮像画像との相関を求め、その相関値に基づいて大人を検知する。或いは、顔画像認識によりしわの数を特定し、しわの数が少ない場合には子供であると判断し、しわの数が多い場合には大人であると判断し、しわの数が更に多い場合には老人であると判断してもよい。
【０２５２】
１３．変形例
次に本実施形態の変形例について説明する。図３２に本実施形態の第１の変形例を示す。この第１の変形例のシステムでは、ホームサーバ２００（広義には情報処理システム）が設けられている。このホームサーバ２００は、処理部２０２、記憶部２２０、通信部２３８、操作部２６０を含む。なおこれらの一部の構成要素を省略したり、他の構成要素を追加するなどの種々の変形実施が可能である。なお、図２と同様の構成要素については、同様の符号を付してその説明を省略する。
【０２５３】
処理部２０２は、管理処理などの各種の処理を行うものであり、ＣＰＵ等のプロセッサやＡＳＩＣなどにより実現できる。記憶部２２０は、処理部２０２や通信部２３８のワーク領域となるものであり、例えばＲＡＭやＨＤＤ等により実現できる。通信部２３８は、デジタルフォトフレーム３００や外部サーバ６００と有線又は無線で通信を行うためのものであり、通信用ＡＳＩＣ又は通信用プロセッサなどにより実現できる。操作部２６０は、サーバの管理者が各種情報を入力するためのものである。
【０２５４】
図３２では、デジタルフォトフレーム３００とホームサーバ２００は、例えば無線ＬＡＮ等のネットワークで通信接続される。また図３２では、ユーザ検知センサ２５０として、家の各場所に設置されるホームセンサが用いられる。そして、ホームサーバ２００の検知情報取得部２０４が、ホームセンサであるユーザ検知センサ２５０からの検知情報を取得し、取得された検知情報は検知情報記憶部２２４に記憶される。
【０２５５】
またホームサーバ２００で取得された検知情報は、転送部２０５により、通信部２３８、３３８を介して、デジタルフォトフレーム３００に転送される。すると、デジタルフォトフレーム３００の検知情報取得部３０４は、転送された検知情報を取得し、取得された検知情報は検知情報記憶部３２４に記憶される。
【０２５６】
ユーザ状況判断部３０６は、取得された検知情報に基づいてユーザ状態を判断し、表示モード切り替え部３１６は、ユーザ状態に応じて表示モードを切り替える。例えばユーザとの位置関係や視認状態などに応じて、表示モードを切り替える。
【０２５７】
また登録処理部３１０は、ユーザの登録処理を行う。例えば操作部３６０によりユーザが入力したユーザ登録情報の設定処理を行ったり、ユーザの顔画像の登録処理などを行う。
【０２５８】
またユーザ認識部３１２は、取得された検知情報に基づいてユーザの認識処理を行う。例えばユーザの人数の認識やユーザの人物認証を行う。そして表示モード切り替え部３１６は、ユーザ認識結果に応じて表示モードを切り替える。例えばユーザの人数や人物認証の結果などに応じて、表示モードを切り替える。
【０２５９】
表示制御部３１８は、表示モードに応じた画像を表示部３４０に表示する制御を行う。例えば通常モード、個人モード、共有モード、来客モードがオンである場合には、それに応じて通常モード用画像、個人モード用画像、共有モード用画像、来客モード用画像を表示する。また例えば簡略表示モード、詳細表示モード、注視モードの各々がオンである場合には、それに応じて簡略画像、詳細画像、注視用画像（関連画像）を表示する。
【０２６０】
なお、これらの画像等のコンテンツ情報は、ホームサーバ２００のコンテンツ情報記憶部２２２からデジタルフォトフレーム３００のコンテンツ情報記憶部３２２にダウンロードされる。或いは外部サーバ６００のコンテンツ情報記憶部６２２からダウンロードしてもよい。またデジタルフォトフレーム３００の処理部３０２を実現するためのプログラムも、外部サーバ６００やホームサーバ２００から、デジタルフォトフレーム３００にダウンロードするようにしてもよい。
【０２６１】
図３３に、ユーザ検知センサ２５０であるホームセンサの設置例を示す。図３３では、ホームセンサとして、撮像センサを有するカメラ２５１、２５２、２５３、２５４が、例えば部屋の天井の四隅に設置されている。そして、これらのカメラ２５１〜２５４を用いてユーザ１０やデジタルフォトフレーム３００を撮影することで、ユーザ１０の人数の特定や、ユーザ１０の人物認証が行われる。またユーザ１０とデジタルフォトフレーム３００の表示部３４０との位置関係や、表示部３４０に対するユーザ１０の視認状態や、ユーザ１０が検知範囲である部屋内に存在するか否かなどを判断するための検知情報が取得される。そして取得された検知情報が、ホームサーバ２００からデジタルフォトフレーム３００に転送され、デジタルフォトフレーム３００が、検知情報に基づいて、ユーザ認識を行ったり、ユーザ状態を判断して、ユーザ認識結果やユーザ状態に応じた画像を表示部３４０に表示する。なお、ホームセンサは、カメラ２５１〜２５４の撮像センサに限定されず、焦電センサや超音波センサなどの種々のセンサを用いることができる。
【０２６２】
図３２の第１の変形例を用いれば、例えばホームセキュリティ等のために設けられたホームセンサを有効活用して、検知情報を取得し、この検知情報に基づいて、ユーザ認識を行ったり、ユーザ状態を判断し、ユーザ認識結果やユーザ状態に応じた画像をデジタルフォトフレーム３００の表示部３４０に表示できるようになる。
【０２６３】
図３４に本実施形態の第２の変形例を示す。図３４では、ホームサーバ２００の処理部２０２が、検知情報取得部２０４、転送部２０５に加えて、ユーザ状態判断部２０６、登録処理部２１０、ユーザ認識部２１２、表示モード切り替え部２１６を含む。また、デジタルフォトフレーム３００に対して表示の指示を行う表示指示部２１８を含む。またホームサーバ２００の記憶部２２０は、コンテンツ情報記憶部２２２、検知情報記憶部２２４に加えて、ユーザ登録情報記憶部２２５、ユーザ状態記憶部２２６、認識結果記憶部２２７、切り替えフラグ記憶部２２８、注視回数情報記憶部２２９、個人情報（感性モデル）記憶部３３２、ユーザ共有情報（共有感性モデル）記憶部３３４を含む。
【０２６４】
図３４では、ユーザ検知センサ２５０であるホームセンサからの検知情報に基づいて、ホームサーバ２００のユーザ認識部２１２が、ユーザの人数の認識や人物認証などのユーザ認識処理を行う。なおユーザの登録処理もホームサーバ２００の登録処理部２１０が行う。また、ホームセンサからの検知情報に基づいて、ホームサーバ２００のユーザ状態判断部２０６が、位置関係や視認状態等のユーザ状態を判断する。
【０２６５】
そして表示モード切り替え部２１６は、ユーザ認識結果やユーザ状態に応じて表示モードを切り替える処理を行う。例えばユーザの人数や人物認証の結果等に応じて表示モードを切り替える。或いは、ユーザとの位置関係や視認状態等に応じて、表示モードを切り替える。
【０２６６】
表示指示部２１８は、表示モードに応じた画像を表示するように、デジタルフォトフレーム３００に指示する処理を行う。即ち、検知されたユーザの人数及び人物認証結果の少なくとも一方に応じて、デジタルフォトフレーム３００の表示部３４０に表示される画像の表示態様を変化させる表示指示を行う。或いは、ユーザと表示部３４０との位置関係や、ユーザの視認状態や、ユーザが検知範囲内に存在するか否かの少なくとも１つに応じて、表示部３４０に表示される画像の表示態様を変化させる表示指示を行う。
【０２６７】
デジタルフォトフレーム３００の表示制御部３１８は、表示指示部２１８からの指示にしたがって、表示部３４０の表示制御を行う。これにより、ユーザの人数、人物認証結果、ユーザとの位置関係、ユーザの視認状態、ユーザが検知範囲内に存在するか否かなどに応じて、表示部３４０の表示態様が変化する。
【０２６８】
図３４の第２の変形例によれば、ユーザの認識処理やユーザ状態の判断処理や表示モードの切り替え処理をホームサーバ２００が行うため、デジタルフォトフレーム３００の処理負荷を軽減できる。従って、デジタルフォトフレーム３００の処理部３０２（ＣＰＵ）の処理能力が低い場合も、本実施形態の処理を実現できるようになる。なお、これらの処理を、ホームサーバ２００とデジタルフォトフレーム３００の分散処理により実現してもよい。
【０２６９】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語（位置関係、視認状態等）と共に記載された用語（距離、注視状態等）は、明細書又は図面のいかなる箇所においても、その異なる用語に置き換えることができる。またデジタルフォトフレーム、情報処理システムの構成、動作や、ユーザの認識手法、ユーザ状態の判断手法、位置関係の検出手法、視認状態の検出手法等も本実施形態で説明したものに限定に限定されず、種々の変形実施が可能である。
【図面の簡単な説明】
【０２７０】
【図１】図１（Ａ）、図１（Ｂ）はデジタルフォトフレームの例を示す図。
【図２】本実施形態のデジタルフォトフレームの構成例。
【図３】図３（Ａ）、図３（Ｂ）はユーザの人数に応じて表示画像の表示態様を変化させる手法の説明図。
【図４】図４（Ａ）、図４（Ｂ）はユーザ登録処理の説明図。
【図５】図５（Ａ）、図５（Ｂ）はユーザの人物認証結果に応じて表示画像の表示態様を変化させる手法の説明図。
【図６】図６（Ａ）、図６（Ｂ）は個人モードをイネーブル又はディスエーブルにする手法の説明図。
【図７】図７（Ａ）、図７（Ｂ）はユーザが登録ユーザか否かに応じて表示画像の表示態様を変化させる手法の説明図。
【図８】ユーザ登録処理を説明するためのフローチャート。
【図９】本実施形態の詳細な処理例を説明するためのフローチャート。
【図１０】本実施形態の詳細な処理例を説明するためのフローチャート。
【図１１】優先モードについて説明するためのフローチャート。
【図１２】図１２（Ａ）、図１２（Ｂ）は距離に応じて表示画像の詳細度を変化させる手法の説明図。
【図１３】図１３（Ａ）、図１３（Ｂ）は距離に応じて表示画像の画面分割数を変化させる手法の説明図。
【図１４】図１４（Ａ）、図１４（Ｂ）はユーザと表示部との距離の検出手法の説明図。
【図１５】図１５（Ａ）、図１５（Ｂ）はユーザが表示部を注視しているか否かに応じて表示画像の表示態様を変化させる手法の説明図。
【図１６】図１６（Ａ）、図１６（Ｂ）はユーザが表示部を注視しているか否かに応じて表示画像の表示態様を変化させる手法の説明図。
【図１７】図１７（Ａ）、図１７（Ｂ）はユーザが表示部を注視しているか否かに応じて表示画像の表示態様を変化させる手法の説明図。
【図１８】図１８（Ａ）〜図１８（Ｃ）はユーザの注視状態の検出手法の説明図。
【図１９】本実施形態の表示態様の切り替え手法の具体例。
【図２０】本実施形態の表示態様の切り替え手法を実現するためのデータ構造の例。
【図２１】ユーザ状態に応じて表示態様を変化させる処理を説明するためのフローチャート。
【図２２】注視状態の検出処理を説明するためのフローチャート。
【図２３】個人モード時や共有モード時に個人情報やユーザ共有情報を記憶する手法の説明図。
【図２４】共有モード時に複数のユーザ間の位置関係に応じて表示態様を変化させる手法の説明図。
【図２５】共有モード時に複数のユーザ間の位置関係に応じて表示態様を変化させる手法の説明図。
【図２６】共有モード時に複数のユーザ間の位置関係に応じて表示態様を変化させる手法の説明図。
【図２７】図２７（Ａ）、図２７（Ｂ）は共有接近モードの表示制御手法の説明図。
【図２８】図２８（Ａ）、図２８（Ｂ）は年齢認証結果に基づき表示態様を変化させる手法の説明図。
【図２９】図２９（Ａ）、図２９（Ｂ）は年齢認証結果に基づき表示態様を変化させる手法の説明図。
【図３０】図３０（Ａ）〜図３０（Ｃ）は年齢認証結果に基づき表示態様を変化させる手法の説明図。
【図３１】優先年齢層のユーザを検知して優先年齢層用画像を表示する手法の説明図。
【図３２】本実施形態の第１の変形例。
【図３３】ホームセンサの設置例。
【図３４】本実施形態の第２の変形例。
【符号の説明】
【０２７１】
２００  サーバ、２０２  処理部、２０４  検知情報取得部、２０５  転送部、
２０６  ユーザ状態判断部、２１０  登録処理部、２１２  ユーザ認識部、
２１６  表示モード切り替え部、２１８  表示指示部、２２０  記憶部、
２２２  コンテンツ情報記憶部、２２４  検知情報記憶部、
２２５  ユーザ登録情報記憶部、２２６  ユーザ状態記憶部、２２７  認識結果記憶部、
２２８  切り替えフラグ記憶部、２３８  通信部、
２５０  ユーザ検知センサ（ホームセンサ）、２６０  操作部、
３００  デジタルフォトフレーム、３０２  処理部、３０４  検知情報取得部、
３０６  ユーザ状態判断部、３０７  位置関係判断部、３０８  視認状態判断部、
３０９  ユーザ存在判断部、３１２  ユーザ認識部、３１３  ユーザ人数認識部、
３１４  人物認証部、３１６  表示モード切り替え部、３１８  表示制御部、
３２０  記憶部、３２２  コンテンツ情報記憶部、３２４  検知情報記憶部、
３２５  ユーザ登録情報記憶部、３２６  ユーザ状態記憶部、
３２７  認識結果記憶部、３２８  切り替えフラグ記憶部、３３０  情報記憶媒体、
３３８  通信部、３４０  表示部、３５０  ユーザ検知センサ、３６０  操作部
【図１】
2010016432.tif 000003
【図２】
2010016432.tif 000004
【図３】
2010016432.tif 000005
【図４】
2010016432.tif 000006
【図５】
2010016432.tif 000007
【図６】
2010016432.tif 000008
【図７】
2010016432.tif 000009
【図８】
2010016432.tif 000010
【図９】
2010016432.tif 000011
【図１０】
2010016432.tif 000012
【図１１】
2010016432.tif 000013
【図１２】
2010016432.tif 000014
【図１３】
2010016432.tif 000015
【図１４】
2010016432.tif 000016
【図１５】
2010016432.tif 000017
【図１６】
2010016432.tif 000018
【図１７】
2010016432.tif 000019
【図１８】
2010016432.tif 000020
【図１９】
2010016432.tif 000021
【図２０】
2010016432.tif 000022
【図２１】
2010016432.tif 000023
【図２２】
2010016432.tif 000024
【図２３】
2010016432.tif 000025
【図２４】
2010016432.tif 000026
【図２５】
2010016432.tif 000027
【図２６】
2010016432.tif 000028
【図２７】
2010016432.tif 000029
【図２８】
2010016432.tif 000030
【図２９】
2010016432.tif 000031
【図３０】
2010016432.tif 000032
【図３１】
2010016432.tif 000033
【図３２】
2010016432.tif 000034
【図３３】
2010016432.tif 000035
【図３４】
2010016432.tif 000036